(57)【要約】【課題】本発明は収納可能な画板を開示した。【解決手段】メインテーブルと、前記メインテーブルに設置される画板収納空間を含み、前記メインテーブルの下端面にはサポートロッドが左右対称になるように固定的に設置され、前記画板収納空間が上方に開口しており、前記画板収納空間の中には封鎖装置が設置され、前記封鎖装置の中には前記画板収納空間を封鎖することに用いられる封鎖板が設置され、前記画板収納空間の中には画板装置が設置される；本装置は構成が簡単で、使用しやすくて、画板を使用しない場合には装置の中に収納し、この時装置の上表面は欠けるところがないテーブルの表面であり、普通なテーブルとして使われることができ、装置を利用する効率を大いに高め、多くの空間を節約する。【選択図】図１
2020142037.tif 000002
【特許請求の範囲】
【請求項１】
メインテーブルと、前記メインテーブルの中に設置される画板収納空間を含み、その特徴は：前記メインテーブルの下端面にはサポートロッドが左右対称になるように固定的に設置され、前記画板収納空間が上方に開口しており、前記画板収納空間の中には封鎖装置が設置され、前記封鎖装置の中には前記画板収納空間を封鎖できる封鎖板が設置され、前記画板収納空間の中には画板装置が設置され、前記画板装置が画板軸のまわりを回す画板を含み、前記メインテーブルの中には封鎖板収納装置が設置され、前記封鎖板収納装置の中には前記封鎖板を収納できる封鎖板収納空間が設置され、前記メインテーブルの中には動力空間が設置され、前記動力空間の中には動力装置が設置され、前記画板収納空間の中には切換装置が設置され、前記切換装置と前記封鎖装置とが係合される；
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラックにより係合され、前記封鎖板収納装置と前記画板装置とが前記切換装置と、前記動力装置により係合され；
また、前記メインテーブルの中にはストック装置が設置されることを特徴とする収納可能な画板。
【請求項２】
前記動力装置が前記動力空間の右壁に固定的に設置される正逆回転モーターを含み、前記正逆回転モーターの左端には動力軸が伝動できるように接続され、前記動力軸には同調下プーリーが固定的に設置され、前記動力軸の左端には下主動傘歯車が固定的に設置され、前記動力空間の右壁には主動軸が回転できるように設置され、前記主動軸には前記同調下プーリーと係合される同調上プーリーが固定的に設置され、前記主動軸の左端には上主動傘歯車が固定的に設置される。
また、前記封鎖板収納装置は前記メインテーブルの中に設置され、且つ、前記画板収納空間の右側に位置するリール空間を含み、前記リール空間の右壁には収納箱スライド溝が設置され、前記収納箱スライド溝の中には収納箱スライドブロックがスライドできるように設置され、前記収納箱スライドブロックの左端には収納箱が固定的に設置され、前記収納箱の左端が前記画板収納空間の中まで伸びており、前記収納箱の中には封鎖板戻しばね空間が設置され、前記収納箱の中には前記封鎖板戻しばね空間の下側に位置し、且つ、前記封鎖板戻しばね空間を連通する封鎖板収納空間が設置され、前記封鎖板戻しばね空間の中には封鎖板収納板がスライドできるように設置され、前記封鎖板収納板の下端が前記封鎖板収納空間の中まで伸びており、前記封鎖板収納板の左端面には永久磁石が固定的に設置され、前記封鎖板収納板の右端面と前記封鎖板戻しばね空間の右壁との間が封鎖板収納ばねにより固定的に接続され、前記リール空間の右壁にはリール軸が回転できるように設置され、前記リール軸にはリールが固定的に設置され、前記リールには引き線が周設され、前記引き線が上へ前記収納箱の中に回転できるように設置される糸巻き輪を回避して前記封鎖板収納空間の中まで伸びており、前記引き線の左端が前記封鎖板収納板の右端面に固定的に接続され、前記リール軸の左端にはリール伝動歯車が固定的に設置される；
その中、前記画板収納空間の底壁にはカム伝動軸が回転できるように設けられ、前記カム伝動軸が下へ前記動力空間の中まで伸びており、前記カム伝動軸の下端面にはスプライン穴が設置され、前記画板収納空間の中には前記カム伝動軸の上端に固定的に接続される軌跡縦カムが設置され、前記軌跡縦カムの中には軌跡空間が設置され、前記軌跡空間の内壁にはカム軌跡が設置され、前記収納箱の下端面には軌跡係合ロッドが固定的に設置され、前記軌跡係合ロッドの下端が前記軌跡空間の内壁の中にあるカム軌跡と当接し、前記軌跡縦カムの外周面にはカム戻し歯車が固定的に設置され、前記画板収納空間の後壁には右へ前記リール空間の中まで伸びているラック板スライド溝が設置され、前記ラック板スライド溝の中にはラックスライドロッドがスライドできるように設置され、前記ラックスライドロッドの右端面と前記ラック板スライド溝の右壁との間が押圧ばねにより固定的に接続され、前記ラックスライドロッドの前端には前記カム戻し歯車と噛み合う前記ラックが固定的に設置され、前記ラックの前端面には係合凸起ブロックが固定的に設置されることを特徴とする請求項１に記載の収納可能な画板。
【請求項３】
前記封鎖装置は前記画板収納空間の頂壁の中に設置される切換ロッド押出空間がを含み、前記切換ロッド押出空間の左壁には戻し電気磁石が固定的に設置され、前記切換ロッド押出空間の中には右へ伸びており、且つ右端が前記収納箱の左端面と当接する前記封鎖板がスライドできるように設置される；
また、前記切換装置が前記画板収納空間の左壁の中に設置される力蓄積空間を含み、前記力蓄積空間の中には押出ブロックがスライドできるように設置され、前記押出ブロックの左端面と前記力蓄積空間の左壁との間が力蓄積ばねにより固定的に接続され、前記押出ブロックの右端面には上側が前記切換ロッド押出空間の中まで伸びている切換ロッドが固定的に設置され、前記切換ロッドと前記切換ロッド押出空間の左壁とがスライドできるように係合され、前記切換ロッドの上側右端と前記封鎖板の左端とが当接し、前記切換ロッドの下側が前記動力空間の中まで伸びており、前記動力空間の中には前記動力空間の底壁に固定的に接続される傾斜ブロック固定板が設置され、前記傾斜ブロック固定板の右端面には上傾斜ブロックスライド溝が設置され、前記上傾斜ブロックスライド溝の中には上傾斜ブロックスライドブロックが設置され、前記上傾斜ブロックスライドブロックの右端には上傾斜ブロックが固定的に設置され、前記動力空間の中には前記切換ロッドに固定的に接続される下傾斜ブロックが設置され、前記下傾斜ブロックと前記上傾斜ブロックとが当接し、前記上傾斜ブロックの上端面には切換軸が固定的に設置され、前記切換軸の上端には前記上主動傘歯車と噛み合う両面切換傘歯車が回転できるように設置され、前記両面切換傘歯車の上端面には前記カム伝動軸と係合されるスプライン軸が固定的に設置されることを特徴とする請求項１に記載の収納可能な画板。
【請求項４】
前記画板装置は前記メインテーブルの中に設置され、且つ前記画板収納空間の下側に位置する伝動空間を含み、前記伝動空間の右壁には右端が前記動力空間の中まで伸びている方向切換傘歯車軸が回転できるように設置され、前記動力空間の中には前記方向切換傘歯車軸の右端に固定的に接続される方向切換傘歯車が設置され、前記伝動空間の中には前記方向切換傘歯車軸の左端に固定的に接続されるサブ係合プーリが設置され、前記伝動空間の右壁には右端が前記リール空間の中まで伸びている封鎖板収納伝動軸が回転できるように設置され、前記封鎖板収納伝動軸の左右両端には中間歯車が対称になるように固定的に設置され、右側にある前記中間歯車と前記リール伝動歯車とが噛み合う；
その中、前記画板収納空間の底壁にはガイドスライド溝が設けられ、前記ガイドスライド溝の左壁には右端が前記伝動空間の中まで伸びている親ねじが回転できるように設置され、前記伝動空間の中には前記親ねじの右端に固定的に接続され、且つ左側にある前記中間歯車と噛み合う画板伝動歯車が設置され、前記伝動空間において前記親ねじにはメイン係合プーリが固定的に設置され、前記メイン係合プーリと前記サブ係合プーリとがベルトにより接続される；
その中、前記ガイドスライド溝にはねじ山ガイドブロックがスライドできるように設置され、前記ねじ山ガイドブロックが前記親ねじとねじ山によって接続され、前記ねじ山ガイドブロックの前端面には画板 ヒンジレバーがヒンジで繋がれ、前記画板収納空間の後壁には前記画板軸が回転できるように設置され、前記画板軸には前記画板が固定的に設置され、前記画板ヒンジレバーの左上端と前記画板の下端面とがヒンジで繋がれる；
また、前記ストック装置が前記メインテーブルの右端に設置されるストック箱を含むことを特徴とする請求項１に記載の収納可能な画板。
【発明の詳細な説明】
【技術分野】
【０００１】
本発明は機械技術分野に関わり、具体的には収納可能な画板である。
【背景技術】
【０００２】
仕事上と生活上には画板の使用を需要とすることがよくある。多数の画板は木製で、手触りが軽くて、滑らかであり、特に手で製図することを必要とする時、画板の体積が大きくて、使用中の調整とサポートが煩雑で、使用した後の収納が多くの労力をかかり、且つ、スペースを占用し過ぎて、より大きな短所があり、改善が必要である。
【先行技術文献】
【特許文献】
【０００３】
【特許文献１】中国特許出願公開第１０６７２４３４２号明細書
【発明の概要】
【発明が解決しようとする課題】
【０００４】
上記技術の不足に対して、本発明は収納可能な画板を開示した。
【課題を解決するための手段】
【０００５】
本発明は収納可能な画板であり、メインテーブルと、前記メインテーブルの中に設置される画板収納空間を含み、その特徴は：前記メインテーブルの下端面にはサポートロッドが左右対称になるように固定的に設置され、前記画板収納空間が上方に開口しており、前記画板収納空間の中には封鎖装置が設置され、前記封鎖装置の中には前記画板収納空間を封鎖できる封鎖板が設置され、前記画板収納空間の中には画板装置が設置され、前記画板装置が画板軸のまわりを回す画板を含み、前記メインテーブルの中には封鎖板収納装置が設置され、前記封鎖板収納装置の中には前記封鎖板を収納できる封鎖板収納空間が設置され、前記メインテーブルの中には動力空間が設置され、前記動力空間の中には動力装置が設置され、前記画板収納空間の中には切換装置が設置され、前記切換装置と前記封鎖装置とが係合される；
【０００６】
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラックにより係合され、前記封鎖板収納装置と前記画板装置とが前記切換装置と、前記動力装置により係合され；
【０００７】
また、前記メインテーブルの中にはストック装置が設置される。
【０００８】
優先的には、前記動力装置が前記動力空間の右壁に固定的に設置される正逆回転モーターを含み、前記正逆回転モーターの左端には動力軸が伝動できるように接続され、前記動力軸には同調下プーリーが固定的に設置され、前記動力軸の左端には下主動傘歯車が固定的に設置され、前記動力空間の右壁には主動軸が回転できるように設置され、前記主動軸には前記同調下プーリーと係合される同調上プーリーが固定的に設置され、前記主動軸の左端には上主動傘歯車が固定的に設置される。
【０００９】
また、前記封鎖板収納装置は前記メインテーブルの中に設置され、且つ、前記画板収納空間の右側に位置するリール空間を含み、前記リール空間の右壁には収納箱スライド溝が設置され、前記収納箱スライド溝の中には収納箱スライドブロックがスライドできるように設置され、前記収納箱スライドブロックの左端には収納箱が固定的に設置され、前記収納箱の左端が前記画板収納空間の中まで伸びており、前記収納箱の中には封鎖板戻しばね空間が設置され、前記収納箱の中には前記封鎖板戻しばね空間の下側に位置し、且つ、前記封鎖板戻しばね空間を連通する封鎖板収納空間が設置され、前記封鎖板戻しばね空間の中には封鎖板収納板がスライドできるように設置され、前記封鎖板収納板の下端が前記封鎖板収納空間の中まで伸びており、前記封鎖板収納板の左端面には永久磁石が固定的に設置され、前記封鎖板収納板の右端面と前記封鎖板戻しばね空間の右壁との間が封鎖板収納ばねにより固定的に接続され、前記リール空間の右壁にはリール軸が回転できるように設置され、前記リール軸にはリールが固定的に設置され、前記リールには引き線が周設され、前記引き線が上へ前記収納箱の中に回転できるように設置される糸巻き輪を回避して前記封鎖板収納空間の中まで伸びており、前記引き線の左端が前記封鎖板収納板の右端面に固定的に接続され、前記リール軸の左端にはリール伝動歯車が固定的に設置される。
【００１０】
その中、前記画板収納空間の底壁にはカム伝動軸が回転できるように設けられ、前記カム伝動軸が下へ前記動力空間の中まで伸びており、前記カム伝動軸の下端面にはスプライン穴が設置され、前記画板収納空間の中には前記カム伝動軸の上端に固定的に接続される軌跡縦カムが設置され、前記軌跡縦カムの中には軌跡空間が設置され、前記軌跡空間の内壁にはカム軌跡が設置され、前記収納箱の下端面には軌跡係合ロッドが固定的に設置され、前記軌跡係合ロッドの下端が前記軌跡空間の内壁の中にあるカム軌跡と当接し、前記軌跡縦カムの外周面にはカム戻し歯車が固定的に設置され、前記画板収納空間の後壁には右へ前記リール空間の中まで伸びているラック板スライド溝が設置され、前記ラック板スライド溝の中にはラックスライドロッドがスライドできるように設置され、前記ラックスライドロッドの右端面と前記ラック板スライド溝の右壁との間が押圧ばねにより固定的に接続され、前記ラックスライドロッドの前端には前記カム戻し歯車と噛み合う前記ラックが固定的に設置され、前記ラックの前端面には係合凸起ブロックが固定的に設置される。
【００１１】
優先的には、前記封鎖装置は前記画板収納空間の頂壁の中に設置される切換ロッド押出空間がを含み、前記切換ロッド押出空間の左壁には戻し電気磁石が固定的に設置され、前記切換ロッド押出空間の中には右へ伸びており、且つ右端が前記収納箱の左端面と当接する前記封鎖板がスライドできるように設置される。
【００１２】
また、前記切換装置が前記画板収納空間の左壁の中に設置される力蓄積空間を含み、前記力蓄積空間の中には押出ブロックがスライドできるように設置され、前記押出ブロックの左端面と前記力蓄積空間の左壁との間が力蓄積ばねにより固定的に接続され、前記押出ブロックの右端面には上側が前記切換ロッド押出空間の中まで伸びている切換ロッドが固定的に設置され、前記切換ロッドと前記切換ロッド押出空間の左壁とがスライドできるように係合され、前記切換ロッドの上側右端と前記封鎖板の左端とが当接し、前記切換ロッドの下側が前記動力空間の中まで伸びており、前記動力空間の中には前記動力空間の底壁に固定的に接続される傾斜ブロック固定板が設置され、前記傾斜ブロック固定板の右端面には上傾斜ブロックスライド溝が設置され、前記上傾斜ブロックスライド溝の中には上傾斜ブロックスライドブロックが設置され、前記上傾斜ブロックスライドブロックの右端には上傾斜ブロックが固定的に設置され、前記動力空間の中には前記切換ロッドに固定的に接続される下傾斜ブロックが設置され、前記下傾斜ブロックと前記上傾斜ブロックとが当接し、前記上傾斜ブロックの上端面には切換軸が固定的に設置され、前記切換軸の上端には前記上主動傘歯車と噛み合う両面切換傘歯車が回転できるように設置され、前記両面切換傘歯車の上端面には前記カム伝動軸と係合されるスプライン軸が固定的に設置される。
【００１３】
優先的には、前記画板装置は前記メインテーブルの中に設置され、且つ前記画板収納空間の下側に位置する伝動空間を含み、前記伝動空間の右壁には右端が前記動力空間の中まで伸びている方向切換傘歯車軸が回転できるように設置され、前記動力空間の中には前記方向切換傘歯車軸の右端に固定的に接続される方向切換傘歯車が設置され、前記伝動空間の中には前記方向切換傘歯車軸の左端に固定的に接続されるサブ係合プーリが設置され、前記伝動空間の右壁には右端が前記リール空間の中まで伸びている封鎖板収納伝動軸が回転できるように設置され、前記封鎖板収納伝動軸の左右両端には中間歯車が対称になるように固定的に設置され、右側にある前記中間歯車と前記リール伝動歯車とが噛み合う。
【００１４】
その中、前記画板収納空間の底壁にはガイドスライド溝が設けられ、前記ガイドスライド溝の左壁には右端が前記伝動空間の中まで伸びている親ねじが回転できるように設置され、前記伝動空間の中には前記親ねじの右端に固定的に接続され、且つ左側にある前記中間歯車と噛み合う画板伝動歯車が設置され、前記伝動空間において前記親ねじにはメイン係合プーリが固定的に設置され、前記メイン係合プーリと前記サブ係合プーリとがベルトにより接続される；
【００１５】
その中、前記ガイドスライド溝にはねじ山ガイドブロックがスライドできるように設置され、前記ねじ山ガイドブロックが前記親ねじとねじ山によって接続され、前記ねじ山ガイドブロックの前端面には画板 ヒンジレバーがヒンジで繋がれ、前記画板収納空間の後壁には前記画板軸が回転できるように設置され、前記画板軸には前記画板が固定的に設置され、前記画板ヒンジレバーの左上端と前記画板の下端面とがヒンジで繋がれる。
【００１６】
また、前記ストック装置が前記メインテーブルの右端に設置されるストック箱を含む。
【発明の効果】
【００１７】
以上により、本装置は構成が簡単で、使用しやすくて、画板を使用しない場合には装置の中に収納し、この時装置の上表面は欠けるところがないテーブルの表面であり、普通なテーブルとして使われることができ、装置を利用する効率を大いに高め、多くの空間を節約し、画板を使用しようとする時に、画板が自動的に伸び出し、人的な操作が必要なく、使用完了の後にまた自動的に収納し、整理にかかる時間を大いに短縮し、仕事の効率を高める。
【図面の簡単な説明】
【００１８】
発明の実施例または既存の技術の中の技術方案をより詳しく説明できるため、下記には実施例または既存の技術を説明することに必要な付図に対して簡単に紹介し、明らかなように、下記に記載の付図はただ発明の一部分の実施例であり、当業者にとって、創造的な労働を払わなくても、これらの付図に基づいて他の付図を獲得することができる。
【００１９】
【図１】図１は本発明の収納可能な画板の総体構造概略図である。
【図２】図２は図１のＡのところの概略図である。
【図３】図３は図２のＢ−Ｂのところの概略図である。
【発明を実施するための形態】
【００２０】
相互排斥する特徴またはステップを除き、本説明書に公開したすべての特徴、若しくは公開したすべての方法または過程中のステップはいずれもあらゆる方式で組み合わせることができる。
【００２１】
本説明書（すべての特許請求の範囲と、要約書と付図を含む）に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２２】
図１−３の示しているように、本発明装置は収納可能な画板であり、メインテーブル１０と、前記メインテーブル１０の中に設置される画板収納空間１１を含み、前記メインテーブル１０の下端面にはサポートロッド５５が左右対称になるように固定的に設置され、前記画板収納空間１１が上方に開口しており、前記画板収納空間１１の中には封鎖装置が設置され、前記封鎖装置の中には前記画板収納空間１１を封鎖できる封鎖板１４が設置され、前記画板収納空間１１の中には画板装置が設置され、前記画板装置が画板軸１６のまわりを回す画板１５を含み、前記メインテーブル１０の中には封鎖板収納装置が設置され、前記封鎖板収納装置の中には前記封鎖板１４を収納できる封鎖板収納空間２１が設置され、前記メインテーブル１０の中には動力空間３４が設置され、前記動力空間３４の中には動力装置が設置され、前記画板収納空間１１の中には切換装置が設置され、前記切換装置と前記封鎖装置とが係合される；
【００２３】
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラック４４により係合され、前記封鎖板収納装置と前記画板装置とが前記切換装置と、前記動力装置により係合され；
【００２４】
また、前記メインテーブル１０の中にはストック装置が設置される。
【００２５】
有益なように、前記動力装置が前記動力空間３４の右壁に固定的に設置される正逆回転モーター２８を含み、前記正逆回転モーター２８の左端には動力軸２９が伝動できるように接続され、前記動力軸２９には同調下プーリー３０が固定的に設置され、前記動力軸２９の左端には下主動傘歯車３１が固定的に設置され、前記動力空間３４の右壁には主動軸６５が回転できるように設置され、前記主動軸６５には前記同調下プーリー３０と係合される同調上プーリー６４が固定的に設置され、前記主動軸６５の左端には上主動傘歯車６３が固定的に設置される。
【００２６】
有益なように、前記封鎖板収納装置は前記メインテーブル１０の中に設置され、且つ、前記画板収納空間１１の右側に位置するリール空間５１を含み、前記リール空間５１の右壁には収納箱スライド溝２４が設置され、前記収納箱スライド溝２４の中には収納箱スライドブロック５０がスライドできるように設置され、前記収納箱スライドブロック５０の左端には収納箱２０が固定的に設置され、前記収納箱２０の左端が前記画板収納空間１１の中まで伸びており、前記収納箱２０の中には封鎖板戻しばね空間１９が設置され、前記収納箱２０の中には前記封鎖板戻しばね空間１９の下側に位置し、且つ、前記封鎖板戻しばね空間１９を連通する封鎖板収納空間２１が設置され、前記封鎖板戻しばね空間１９の中には封鎖板収納板１８がスライドできるように設置され、前記封鎖板収納板１８の下端が前記封鎖板収納空間２１の中まで伸びており、前記封鎖板収納板１８の左端面には永久磁石１７が固定的に設置され、前記封鎖板収納板１８の右端面と前記封鎖板戻しばね空間１９の右壁との間が封鎖板収納ばね２２により固定的に接続され、前記リール空間５１の右壁にはリール軸５３が回転できるように設置され、前記リール軸５３にはリール５２が固定的に設置され、前記リール５２には引き線８０が周設され、前記引き線８０が上へ前記収納箱２０の中に回転できるように設置される糸巻き輪２３を回避して前記封鎖板収納空間２１の中まで伸びており、前記引き線８０の左端が前記封鎖板収納板１８の右端面に固定的に接続され、前記リール軸５３の左端にはリール伝動歯車２７が固定的に設置される。
【００２７】
その中、前記画板収納空間１１の底壁にはカム伝動軸７１が回転できるように設けられ、前記カム伝動軸７１が下へ前記動力空間３４の中まで伸びており、前記カム伝動軸７１の下端面にはスプライン穴が設置され、前記画板収納空間１１の中には前記カム伝動軸７１の上端に固定的に接続される軌跡縦カム６９が設置され、前記軌跡縦カム６９の中には軌跡空間７４が設置され、前記軌跡空間７４の内壁にはカム軌跡が設置され、前記収納箱２０の下端面には軌跡係合ロッド６８が固定的に設置され、前記軌跡係合ロッド６８の下端が前記軌跡空間７４の内壁の中にあるカム軌跡と当接し、前記軌跡縦カム６９の外周面にはカム戻し歯車７０が固定的に設置され、前記画板収納空間１１の後壁には右へ前記リール空間５１の中まで伸びているラック板スライド溝２５が設置され、前記ラック板スライド溝２５の中にはラックスライドロッド７３がスライドできるように設置され、前記ラックスライドロッド７３の右端面と前記ラック板スライド溝２５の右壁との間が押圧ばね２６により固定的に接続され、前記ラックスライドロッド７３の前端には前記カム戻し歯車７０と噛み合う前記ラック４４が固定的に設置され、前記ラック４４の前端面には係合凸起ブロック４８が固定的に設置される。
【００２８】
有益なように、前記封鎖装置は前記画板収納空間１１の頂壁の中に設置される切換ロッド押出空間１３がを含み、前記切換ロッド押出空間１３の左壁には戻し電気磁石１２が固定的に設置され、前記切換ロッド押出空間１３の中には右へ伸びており、且つ右端が前記収納箱２０の左端面と当接する前記封鎖板１４がスライドできるように設置される。
【００２９】
有益なように、前記切換装置が前記画板収納空間１１の左壁の中に設置される力蓄積空間５８を含み、前記力蓄積空間５８の中には押出ブロック６０がスライドできるように設置され、前記押出ブロック６０の左端面と前記力蓄積空間５８の左壁との間が力蓄積ばね５９により固定的に接続され、前記押出ブロック６０の右端面には上側が前記切換ロッド押出空間１３の中まで伸びている切換ロッド５７が固定的に設置され、前記切換ロッド５７と前記切換ロッド押出空間１３の左壁とがスライドできるように係合され、前記切換ロッド５７の上側右端と前記封鎖板１４の左端とが当接し、前記切換ロッド５７の下側が前記動力空間３４の中まで伸びており、前記動力空間３４の中には前記動力空間３４の底壁に固定的に接続される傾斜ブロック固定板３５が設置され、前記傾斜ブロック固定板３５の右端面には上傾斜ブロックスライド溝３６が設置され、前記上傾斜ブロックスライド溝３６の中には上傾斜ブロックスライドブロック３７が設置され、前記上傾斜ブロックスライドブロック３７の右端には上傾斜ブロック３３が固定的に設置され、前記動力空間３４の中には前記切換ロッド５７に固定的に接続される下傾斜ブロック３２が設置され、前記下傾斜ブロック３２と前記上傾斜ブロック３３とが当接し、前記上傾斜ブロック３３の上端面には切換軸６１が固定的に設置され、前記切換軸６１の上端には前記上主動傘歯車６３と噛み合う両面切換傘歯車７２が回転できるように設置され、前記両面切換傘歯車７２の上端面には前記カム伝動軸７１と係合されるスプライン軸６２が固定的に設置される。
【００３０】
有益なように、前記画板装置は前記メインテーブル１０の中に設置され、且つ前記画板収納空間１１の下側に位置する伝動空間５６を含み、前記伝動空間５６の右壁には右端が前記動力空間３４の中まで伸びている方向切換傘歯車軸３９が回転できるように設置され、前記動力空間３４の中には前記方向切換傘歯車軸３９の右端に固定的に接続される方向切換傘歯車３８が設置され、前記伝動空間５６の中には前記方向切換傘歯車軸３９の左端に固定的に接続されるサブ係合プーリ４２が設置され、前記伝動空間５６の右壁には右端が前記リール空間５１の中まで伸びている封鎖板収納伝動軸４０が回転できるように設置され、前記封鎖板収納伝動軸４０の左右両端には中間歯車４１が対称になるように固定的に設置され、右側にある前記中間歯車４１と前記リール伝動歯車２７とが噛み合う。
【００３１】
その中、前記画板収納空間１１の底壁にはガイドスライド溝４７が設けられ、前記ガイドスライド溝４７の左壁には右端が前記伝動空間５６の中まで伸びている親ねじ４９が回転できるように設置され、前記伝動空間５６の中には前記親ねじ４９の右端に固定的に接続され、且つ左側にある前記中間歯車４１と噛み合う画板伝動歯車７５が設置され、前記伝動空間５６において前記親ねじ４９にはメイン係合プーリ４３が固定的に設置され、前記メイン係合プーリ４３と前記サブ係合プーリ４２とがベルトにより接続される；
【００３２】
その中、前記ガイドスライド溝４７にはねじ山ガイドブロック４５がスライドできるように設置され、前記ねじ山ガイドブロック４５が前記親ねじ４９とねじ山によって接続され、前記ねじ山ガイドブロック４５の前端面には画板 ヒンジレバー４６がヒンジで繋がれ、前記画板収納空間１１の後壁には前記画板軸１６が回転できるように設置され、前記画板軸１６には前記画板１５が固定的に設置され、前記画板ヒンジレバー４６の左上端と前記画板１５の下端面とがヒンジで繋がれる。
【００３３】
また、前記ストック装置が前記メインテーブル１０の右端に設置されるストック箱５４を含む。
【００３４】
下記には、出願人は付図１−３と、上記の記載を参考して具体的に本出願の収納可能な画板を紹介する：
【００３５】
初期状態にある時、前記スプライン軸６２と前記カム伝動軸７１とが係合され、前記両面切換傘歯車７２と前記上主動傘歯車６３とが噛み合い、前記力蓄積ばね５９が圧縮状態にあり、前記収納箱２０が差出していない状態である。
【００３６】
画板を使用する時、正逆回転モーター２８の起動が前記動力軸２９を連動させて回転させ、前記動力軸２９が前記同調下プーリー３０と、前記同調上プーリー６４により前記主動軸６５を連動させて回転させ、前記主動軸６５が前記上主動傘歯車６３を連動させて回転させ、前記動力軸２９が前記下主動傘歯車３１を連動させて回転させ、前記上主動傘歯車６３が前記両面切換傘歯車７２を連動させて回転させ、前記両面切換傘歯車７２が前記スプライン軸６２により前記カム伝動軸７１を連動させて回転させ、前記カム伝動軸７１が前記軌跡縦カム６９を連動させて回転させ、前記軌跡係合ロッド６８を上昇させ、前記軌跡係合ロッド６８が上昇し、これにより前記封鎖板収納空間２１と前記封鎖板１４とが同じレベルの位置するようになり、前記永久磁石１７が前記封鎖板１４を右へ引きつけて前記封鎖板１４と前記封鎖板収納板１８とを密着させ、前記切換ロッド５７が前記力蓄積ばね５９の作用により右へ運動し、前記切換ロッド５７が前記下傾斜ブロック３２を連動させて右へ運動させ、前記上傾斜ブロック３３を下がらせ、前記上傾斜ブロック３３が前記切換軸６１を連動させて下がらせて前記両面切換傘歯車７２と前記上主動傘歯車６３とを噛み合う状態から離脱させ、前記スプライン軸６２と前記カム伝動軸７１とを係合される状態から離脱させ、前記両面切換傘歯車７２を前記下主動傘歯車３１と、前記方向切換傘歯車３８と噛み合わせ、前記下主動傘歯車３１が前記両面切換傘歯車７２により前記方向切換傘歯車３８を連動させて回転させ、前記方向切換傘歯車３８が前記サブ係合プーリ４２と、前記メイン係合プーリ４３により前記親ねじ４９を連動させて回転させ、前記親ねじ４９が前記画板伝動歯車７５と、前記中間歯車４１と、前記封鎖板収納伝動軸４０により前記リール伝動歯車２７を連動させて回転させ、前記リール伝動歯車２７が前記リール軸５３を連動させて回転させ、前記リール軸５３が糸を巻き始め、前記引き線８０により前記封鎖板１４を右へ引き動かして前記封鎖板収納空間２１の中に収納し、その同時前記封鎖板収納ばね２２を圧縮し、前記親ねじ４９が回転することにより前記ねじ山ガイドブロック４５を左へ運動させ、前記ねじ山ガイドブロック４５の左への運動が前記画板ヒンジレバー４６により前記画板１５を上昇させて、前記ねじ山ガイドブロック４５が右へ運動する過程中、前記係合凸起ブロック４８を右へ押圧して、前記収納箱２０を下がらせて元の位置に戻らせる。
【００３７】
元の位置に戻る時、前記正逆回転モーター２８の反転により前記画板装置を元の位置に戻らせ、前記係合凸起ブロック４８が前記押圧ばね２６の作用により元の位置に戻り、これにより前記収納箱２０を上昇させ、前記リール５２の反転により前記封鎖板収納板１８が前記封鎖板収納ばね２２の作用により前記封鎖板１４を押し出し、完全に押し出した後、前記戻し電気磁石１２を起動させ、前記封鎖板１４を元の位置に戻らせ、前記封鎖板１４が元の位置に戻った後、前記切換装置を元の位置に戻らせ、前記両面切換傘歯車７２が前記上主動傘歯車６３と再び噛み合い、前記スプライン軸６２と前記カム伝動軸７１とが係合され、元の位置に戻る。
【００３８】
上記のように、本装置は構成が簡単で、使用しやすくて、画板を使用しない場合には装置の中に収納し、この時装置の上表面は欠けるところがないテーブルの表面であり、普通のテーブルとして使われることができ、装置を利用する効率を大いに高め、多くの空間を節約し、画板を使用しようとする時に、画板が自動的に伸び出し、人的な操作が必要でなく、使用完了の後にまた自動的に収納し、整理にかかる時間を大いに短縮し、仕事の効率を高める。
【００３９】
上記の記載はただ本発明における具体的な実施方式であり、但し本発明の保護範囲はこれに限定されるものではなく、創造的な労働を通じなく想到されるあらゆる変化と立ち代わりは本発明の保護範囲の中にカバーすべきであり、そのために、本発明の保護範囲は特許請求の範囲に限定された保護範囲に準じるべきである。
【図１】
2020142037.tif 000003
【図２】
2020142037.tif 000004
【図３】
2020142037.tif 000005
【手続補正書】
【提出日】令和1年6月4日(2019.6.4)
【手続補正１】
【補正対象書類名】特許請求の範囲
【補正対象項目名】全文
【補正方法】変更
【補正の内容】
【特許請求の範囲】
【請求項１】
メインテーブルと、前記メインテーブルの中に設置される画板収納空間を含み、前記メインテーブルの下端面にはサポートロッドが左右対称になるように固定的に設置され、前記画板収納空間が上方に開口しており、前記画板収納空間の中には封鎖装置が設置され、前記封鎖装置の中には前記画板収納空間を封鎖できる封鎖板が設置され、前記画板収納空間の中には画板装置が設置され、前記画板装置は画板軸に連結された画板を含み、前記メインテーブルの中には封鎖板収納装置が設置され、前記封鎖板収納装置の中には前記封鎖板を収納できる封鎖板収納空間が設置され、前記メインテーブルの中には動力空間が設置され、前記動力空間の中には動力装置が設置され、前記画板収納空間の中には切換装置が設置され、前記切換装置と前記封鎖装置とが係合されており、
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラックにより係合され、前記封鎖板収納装置と前記画板装置とが前記切換装置と、前記動力装置により係合されており、
また、前記メインテーブルの中にはストック装置が設置されることを特徴とする収納可能な画板。
【請求項２】
前記動力装置が前記動力空間の右壁に固定的に設置される正逆回転モーターを含み、前記正逆回転モーターの左端には動力軸が伝動できるように接続され、前記動力軸には同調下プーリーが固定的に設置され、前記動力軸の左端には下主動傘歯車が固定的に設置され、前記動力空間の右壁には主動軸が回転できるように設置され、前記主動軸には前記同調下プーリーと係合される同調上プーリーが固定的に設置され、前記主動軸の左端には上主動傘歯車が固定的に設置されており、
また、前記封鎖板収納装置は前記メインテーブルの中に設置され、且つ、前記画板収納空間の右側に位置するリール空間を含み、前記リール空間の右壁には収納箱スライド溝が設置され、前記収納箱スライド溝の中には収納箱スライドブロックがスライドできるように設置され、前記収納箱スライドブロックの左端には収納箱が固定的に設置され、前記収納箱の左端が前記画板収納空間の中まで伸びており、前記収納箱の中には封鎖板戻しばね空間が設置され、前記収納箱の中には前記封鎖板戻しばね空間の下側に位置し、且つ、前記封鎖板戻しばね空間を連通する封鎖板収納空間が設置され、前記封鎖板戻しばね空間の中には封鎖板収納板がスライドできるように設置され、前記封鎖板収納板の下端が前記封鎖板収納空間の中まで伸びており、前記封鎖板収納板の左端面には永久磁石が固定的に設置され、前記封鎖板収納板の右端面と前記封鎖板戻しばね空間の右壁との間が封鎖板収納ばねにより固定的に接続され、前記リール空間の右壁にはリール軸が回転できるように設置され、前記リール軸にはリールが固定的に設置され、前記リールには引き線が周設され、前記引き線は前記収納箱の中に回転できるように設置される糸巻き輪により導かれてから前記封鎖板収納空間の中まで伸びており、前記引き線の左端が前記封鎖板収納板の右端面に固定的に接続され、前記リール軸の左端にはリール伝動歯車が固定的に設置されており、
前記画板収納空間の底壁にはカム伝動軸が回転できるように設けられ、前記カム伝動軸が下へ前記動力空間の中まで伸びており、前記カム伝動軸の下端面にはスプライン穴が設置され、前記画板収納空間の中には前記カム伝動軸の上端に固定的に接続される軌跡縦カムが設置され、前記軌跡縦カムの中には軌跡空間が設置され、前記軌跡空間の内壁にはカム軌跡が設置され、前記収納箱の下端面には軌跡係合ロッドが固定的に設置され、前記軌跡係合ロッドの下端が前記軌跡空間の内壁の中にあるカム軌跡と当接し、前記軌跡縦カムの外周面にはカム戻し歯車が固定的に設置され、前記画板収納空間の後壁には右へ前記リール空間の中まで伸びているラック板スライド溝が設置され、前記ラック板スライド溝の中にはラックスライドロッドがスライドできるように設置され、前記ラックスライドロッドの右端面と前記ラック板スライド溝の右壁との間が押圧ばねにより固定的に接続され、前記ラックスライドロッドの前端には前記カム戻し歯車と噛み合う前記ラックが固定的に設置され、前記ラックの前端面には係合凸起ブロックが固定的に設置されることを特徴とする請求項１に記載の収納可能な画板。
【請求項３】
前記封鎖装置は前記画板収納空間の頂壁の中に設置される切換ロッド押出空間を含み、前記切換ロッド押出空間の左壁には戻し電気磁石が固定的に設置され、前記切換ロッド押出空間の中には右へ伸びており、且つ右端が前記収納箱の左端面と当接する前記封鎖板がスライドできるように設置されており、
また、前記切換装置が前記画板収納空間の左壁の中に設置される力蓄積空間を含み、前記力蓄積空間の中には押出ブロックがスライドできるように設置され、前記押出ブロックの左端面と前記力蓄積空間の左壁との間が力蓄積ばねにより固定的に接続され、前記押出ブロックの右端面には上側が前記切換ロッド押出空間の中まで伸びている切換ロッドが固定的に設置され、前記切換ロッドと前記切換ロッド押出空間の左壁とがスライドできるように係合され、前記切換ロッドの上側右端と前記封鎖板の左端とが当接し、前記切換ロッドの下側が前記動力空間の中まで伸びており、前記動力空間の中には前記動力空間の底壁に固定的に接続される傾斜ブロック固定板が設置され、前記傾斜ブロック固定板の右端面には上傾斜ブロックスライド溝が設置され、前記上傾斜ブロックスライド溝の中には上傾斜ブロックスライドブロックが設置され、前記上傾斜ブロックスライドブロックの右端には上傾斜ブロックが固定的に設置され、前記動力空間の中には前記切換ロッドに固定的に接続される下傾斜ブロックが設置され、前記下傾斜ブロックと前記上傾斜ブロックとが当接し、前記上傾斜ブロックの上端面には切換軸が固定的に設置され、前記切換軸の上端には前記上主動傘歯車と噛み合う両面切換傘歯車が回転できるように設置され、前記両面切換傘歯車の上端面には前記カム伝動軸と係合されるスプライン軸が固定的に設置されることを特徴とする請求項２に記載の収納可能な画板。
【請求項４】
前記画板装置は前記メインテーブルの中に設置され、且つ前記画板収納空間の下側に位置する伝動空間を含み、前記伝動空間の右壁には右端が前記動力空間の中まで伸びている方向切換傘歯車軸が回転できるように設置され、前記動力空間の中には前記方向切換傘歯車軸の右端に固定的に接続される方向切換傘歯車が設置され、前記伝動空間の中には前記方向切換傘歯車軸の左端に固定的に接続されるサブ係合プーリが設置され、前記伝動空間の右壁には右端が前記リール空間の中まで伸びている封鎖板収納伝動軸が回転できるように設置され、前記封鎖板収納伝動軸の左右両端には中間歯車が対称になるように固定的に設置され、右側にある前記中間歯車と前記リール伝動歯車とが噛み合っており、
前記画板収納空間の底壁にはガイドスライド溝が設けられ、前記ガイドスライド溝の左壁には右端が前記伝動空間の中まで伸びている親ねじが回転できるように設置され、前記伝動空間の中には前記親ねじの右端に固定的に接続され、且つ左側にある前記中間歯車と噛み合う画板伝動歯車が設置され、前記伝動空間において前記親ねじにはメイン係合プーリが固定的に設置され、前記メイン係合プーリと前記サブ係合プーリとがベルトにより接続されており、
前記ガイドスライド溝にはねじ山ガイドブロックがスライドできるように設置され、前記ねじ山ガイドブロックが前記親ねじとねじ山によって接続され、前記ねじ山ガイドブロックの前端面には画板 ヒンジレバーがヒンジで繋がれ、前記画板収納空間の後壁には前記画板軸が回転できるように設置され、前記画板ヒンジレバーの左上端と前記画板の下端面とがヒンジで繋がれており、
また、前記ストック装置が前記メインテーブルの右端に設置されるストック箱を含むことを特徴とする請求項３に記載の収納可能な画板。
【手続補正２】
【補正対象書類名】明細書
【補正対象項目名】全文
【補正方法】変更
【補正の内容】
【発明の詳細な説明】
【技術分野】
【０００１】
本発明は機械技術分野に関わり、具体的には収納可能な画板である。
【背景技術】
【０００２】
仕事上と生活上には画板の使用を需要とすることがよくある。多数の画板は木製で、手触りが軽くて、滑らかであり、特に手で製図することを必要とする時、画板の体積が大きくて、使用中の調整とサポートが煩雑で、使用した後の収納が多くの労力をかかり、且つ、スペースを占用し過ぎて、より大きな短所があり、改善が必要である。
【先行技術文献】
【特許文献】
【０００３】
【特許文献１】中国特許出願公開第１０６７２４３４２号明細書
【発明の概要】
【発明が解決しようとする課題】
【０００４】
上記技術の不足に対して、本発明は収納可能な画板を開示した。
【課題を解決するための手段】
【０００５】
本発明は収納可能な画板であり、メインテーブルと、前記メインテーブルの中に設置される画板収納空間を含み、その特徴は：前記メインテーブルの下端面にはサポートロッドが左右対称になるように固定的に設置され、前記画板収納空間が上方に開口しており、前記画板収納空間の中には封鎖装置が設置され、前記封鎖装置の中には前記画板収納空間を封鎖できる封鎖板が設置され、前記画板収納空間の中には画板装置が設置され、前記画板装置は画板軸に連結された画板を含み、前記メインテーブルの中には封鎖板収納装置が設置され、前記封鎖板収納装置の中には前記封鎖板を収納できる封鎖板収納空間が設置され、前記メインテーブルの中には動力空間が設置され、前記動力空間の中には動力装置が設置され、前記画板収納空間の中には切換装置が設置され、前記切換装置と前記封鎖装置とが係合される。
【０００６】
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラックにより係合され、前記封鎖板収納装置と前記画板装置とが前記切換装置と、前記動力装置により係合され。
【０００７】
また、前記メインテーブルの中にはストック装置が設置される。
【０００８】
優先的には、前記動力装置が前記動力空間の右壁に固定的に設置される正逆回転モーターを含み、前記正逆回転モーターの左端には動力軸が伝動できるように接続され、前記動力軸には同調下プーリーが固定的に設置され、前記動力軸の左端には下主動傘歯車が固定的に設置され、前記動力空間の右壁には主動軸が回転できるように設置され、前記主動軸には前記同調下プーリーと係合される同調上プーリーが固定的に設置され、前記主動軸の左端には上主動傘歯車が固定的に設置される。
【０００９】
また、前記封鎖板収納装置は前記メインテーブルの中に設置され、且つ、前記画板収納空間の右側に位置するリール空間を含み、前記リール空間の右壁には収納箱スライド溝が設置され、前記収納箱スライド溝の中には収納箱スライドブロックがスライドできるように設置され、前記収納箱スライドブロックの左端には収納箱が固定的に設置され、前記収納箱の左端が前記画板収納空間の中まで伸びており、前記収納箱の中には封鎖板戻しばね空間が設置され、前記収納箱の中には前記封鎖板戻しばね空間の下側に位置し、且つ、前記封鎖板戻しばね空間を連通する封鎖板収納空間が設置され、前記封鎖板戻しばね空間の中には封鎖板収納板がスライドできるように設置され、前記封鎖板収納板の下端が前記封鎖板収納空間の中まで伸びており、前記封鎖板収納板の左端面には永久磁石が固定的に設置され、前記封鎖板収納板の右端面と前記封鎖板戻しばね空間の右壁との間が封鎖板収納ばねにより固定的に接続され、前記リール空間の右壁にはリール軸が回転できるように設置され、前記リール軸にはリールが固定的に設置され、前記リールには引き線が周設され、
前記引き線は前記収納箱の中に回転できるように設置される糸巻き輪により導かれてから前記封鎖板収納空間の中まで伸びており、前記引き線の左端が前記封鎖板収納板の右端面に固定的に接続され、前記リール軸の左端にはリール伝動歯車が固定的に設置される。
【００１０】
前記画板収納空間の底壁にはカム伝動軸が回転できるように設けられ、前記カム伝動軸が下へ前記動力空間の中まで伸びており、前記カム伝動軸の下端面にはスプライン穴が設置され、前記画板収納空間の中には前記カム伝動軸の上端に固定的に接続される軌跡縦カムが設置され、前記軌跡縦カムの中には軌跡空間が設置され、前記軌跡空間の内壁にはカム軌跡が設置され、前記収納箱の下端面には軌跡係合ロッドが固定的に設置され、
前記軌跡係合ロッドの下端が前記軌跡空間の内壁の中にあるカム軌跡と当接し、前記軌跡縦カムの外周面にはカム戻し歯車が固定的に設置され、前記画板収納空間の後壁には右へ前記リール空間の中まで伸びているラック板スライド溝が設置され、前記ラック板スライド溝の中にはラックスライドロッドがスライドできるように設置され、前記ラックスライドロッドの右端面と前記ラック板スライド溝の右壁との間が押圧ばねにより固定的に接続され、前記ラックスライドロッドの前端には前記カム戻し歯車と噛み合う前記ラックが固定的に設置され、前記ラックの前端面には係合凸起ブロックが固定的に設置される。
【００１１】
優先的には、前記封鎖装置は前記画板収納空間の頂壁の中に設置される切換ロッド押出空間を含み、前記切換ロッド押出空間の左壁には戻し電気磁石が固定的に設置され、前記切換ロッド押出空間の中には右へ伸びており、且つ右端が前記収納箱の左端面と当接する前記封鎖板がスライドできるように設置される。
【００１２】
また、前記切換装置が前記画板収納空間の左壁の中に設置される力蓄積空間を含み、前記力蓄積空間の中には押出ブロックがスライドできるように設置され、前記押出ブロックの左端面と前記力蓄積空間の左壁との間が力蓄積ばねにより固定的に接続され、前記押出ブロックの右端面には上側が前記切換ロッド押出空間の中まで伸びている切換ロッドが固定的に設置され、前記切換ロッドと前記切換ロッド押出空間の左壁とがスライドできるように係合され、前記切換ロッドの上側右端と前記封鎖板の左端とが当接し、前記切換ロッドの下側が前記動力空間の中まで伸びており、前記動力空間の中には前記動力空間の底壁に固定的に接続される傾斜ブロック固定板が設置され、前記傾斜ブロック固定板の右端面には上傾斜ブロックスライド溝が設置され、前記上傾斜ブロックスライド溝の中には上傾斜ブロックスライドブロックが設置され、前記上傾斜ブロックスライドブロックの右端には上傾斜ブロックが固定的に設置され、前記動力空間の中には前記切換ロッドに固定的に接続される下傾斜ブロックが設置され、前記下傾斜ブロックと前記上傾斜ブロックとが当接し、前記上傾斜ブロックの上端面には切換軸が固定的に設置され、前記切換軸の上端には前記上主動傘歯車と噛み合う両面切換傘歯車が回転できるように設置され、前記両面切換傘歯車の上端面には前記カム伝動軸と係合されるスプライン軸が固定的に設置される。
【００１３】
優先的には、前記画板装置は前記メインテーブルの中に設置され、且つ前記画板収納空間の下側に位置する伝動空間を含み、前記伝動空間の右壁には右端が前記動力空間の中まで伸びている方向切換傘歯車軸が回転できるように設置され、前記動力空間の中には前記方向切換傘歯車軸の右端に固定的に接続される方向切換傘歯車が設置され、前記伝動空間の中には前記方向切換傘歯車軸の左端に固定的に接続されるサブ係合プーリが設置され、前記伝動空間の右壁には右端が前記リール空間の中まで伸びている封鎖板収納伝動軸が回転できるように設置され、前記封鎖板収納伝動軸の左右両端には中間歯車が対称になるように固定的に設置され、右側にある前記中間歯車と前記リール伝動歯車とが噛み合う。
【００１４】
前記画板収納空間の底壁にはガイドスライド溝が設けられ、前記ガイドスライド溝の左壁には右端が前記伝動空間の中まで伸びている親ねじが回転できるように設置され、前記伝動空間の中には前記親ねじの右端に固定的に接続され、且つ左側にある前記中間歯車と噛み合う画板伝動歯車が設置され、前記伝動空間において前記親ねじにはメイン係合プーリが固定的に設置され、前記メイン係合プーリと前記サブ係合プーリとがベルトにより接続される。
【００１５】
前記ガイドスライド溝にはねじ山ガイドブロックがスライドできるように設置され、前記ねじ山ガイドブロックが前記親ねじとねじ山によって接続され、前記ねじ山ガイドブロックの前端面には画板 ヒンジレバーがヒンジで繋がれ、前記画板収納空間の後壁には前記画板軸が回転できるように設置され、前記画板ヒンジレバーの左上端と前記画板の下端面とがヒンジで繋がれる。
【００１６】
また、前記ストック装置が前記メインテーブルの右端に設置されるストック箱を含む。
【発明の効果】
【００１７】
以上により、本装置は構成が簡単で、使用しやすくて、画板を使用しない場合には装置の中に収納し、この時装置の上表面は欠けるところがないテーブルの表面であり、普通なテーブルとして使われることができ、装置を利用する効率を大いに高め、多くの空間を節約し、画板を使用しようとする時に、画板が自動的に伸び出し、人的な操作が必要なく、使用完了の後にまた自動的に収納し、整理にかかる時間を大いに短縮し、仕事の効率を高める。
【図面の簡単な説明】
【００１８】
発明の実施例または既存の技術の中の技術方案をより詳しく説明できるため、下記には実施例または既存の技術を説明することに必要な付図に対して簡単に紹介し、明らかなように、下記に記載の付図はただ発明の一部分の実施例であり、当業者にとって、創造的な労働を払わなくても、これらの付図に基づいて他の付図を獲得することができる。
【００１９】
【図１】図１は本発明の収納可能な画板の総体構造概略図である。
【図２】図２は図１のＡのところの概略図である。
【図３】図３は図２のＢ−Ｂのところの概略図である。
【発明を実施するための形態】
【００２０】
相互排斥する特徴またはステップを除き、本説明書に公開したすべての特徴、若しくは公開したすべての方法または過程中のステップはいずれもあらゆる方式で組み合わせることができる。
【００２１】
本説明書（すべての特許請求の範囲と、要約書と付図を含む）に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２２】
図１−３の示しているように、本発明装置は収納可能な画板であり、メインテーブル１０と、前記メインテーブル１０の中に設置される画板収納空間１１を含み、前記メインテーブル１０の下端面にはサポートロッド５５が左右対称になるように固定的に設置され、前記画板収納空間１１が上方に開口しており、前記画板収納空間１１の中には封鎖装置が設置され、前記封鎖装置の中には前記画板収納空間１１を封鎖できる封鎖板１４が設置され、前記画板収納空間１１の中には画板装置が設置され、前記画板装置は画板軸１６に連結された画板１５を含み、前記メインテーブル１０の中には封鎖板収納装置が設置され、
前記封鎖板収納装置の中には前記封鎖板１４を収納できる封鎖板収納空間２１が設置され、前記メインテーブル１０の中には動力空間３４が設置され、前記動力空間３４の中には動力装置が設置され、前記画板収納空間１１の中には切換装置が設置され、前記切換装置と前記封鎖装置とが係合される。
【００２３】
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラック４４により係合され、前記封鎖板収納装置と前記画板装置とが前記切換装置と、前記動力装置により係合され。
【００２４】
また、前記メインテーブル１０の中にはストック装置が設置される。
【００２５】
有益なように、前記動力装置が前記動力空間３４の右壁に固定的に設置される正逆回転モーター２８を含み、前記正逆回転モーター２８の左端には動力軸２９が伝動できるように接続され、前記動力軸２９には同調下プーリー３０が固定的に設置され、前記動力軸２９の左端には下主動傘歯車３１が固定的に設置され、前記動力空間３４の右壁には主動軸６５が回転できるように設置され、前記主動軸６５には前記同調下プーリー３０と係合される同調上プーリー６４が固定的に設置され、前記主動軸６５の左端には上主動傘歯車６３が固定的に設置される。
【００２６】
有益なように、前記封鎖板収納装置は前記メインテーブル１０の中に設置され、且つ、前記画板収納空間１１の右側に位置するリール空間５１を含み、前記リール空間５１の右壁には収納箱スライド溝２４が設置され、前記収納箱スライド溝２４の中には収納箱スライドブロック５０がスライドできるように設置され、前記収納箱スライドブロック５０の左端には収納箱２０が固定的に設置され、前記収納箱２０の左端が前記画板収納空間１１の中まで伸びており、前記収納箱２０の中には封鎖板戻しばね空間１９が設置され、前記収納箱２０の中には前記封鎖板戻しばね空間１９の下側に位置し、且つ、前記封鎖板戻しばね空間１９を連通する封鎖板収納空間２１が設置され、前記封鎖板戻しばね空間１９の中には封鎖板収納板１８がスライドできるように設置され、前記封鎖板収納板１８の下端が前記封鎖板収納空間２１の中まで伸びており、前記封鎖板収納板１８の左端面には永久磁石１７が固定的に設置され、前記封鎖板収納板１８の右端面と前記封鎖板戻しばね空間１９の右壁との間が封鎖板収納ばね２２により固定的に接続され、前記リール空間５１の右壁にはリール軸５３が回転できるように設置され、前記リール軸５３にはリール５２が固定的に設置され、前記リール５２には引き線８０が周設され、前記引き線８０は前記収納箱２０の中に回転できるように設置される糸巻き輪２３により導かれてから前記封鎖板収納空間２１の中まで伸びており、前記引き線８０の左端が前記封鎖板収納板１８の右端面に固定的に接続され、前記リール軸５３の左端にはリール伝動歯車２７が固定的に設置される。
【００２７】
前記画板収納空間１１の底壁にはカム伝動軸７１が回転できるように設けられ、前記カム伝動軸７１が下へ前記動力空間３４の中まで伸びており、前記カム伝動軸７１の下端面にはスプライン穴が設置され、前記画板収納空間１１の中には前記カム伝動軸７１の上端に固定的に接続される軌跡縦カム６９が設置され、前記軌跡縦カム６９の中には軌跡空間７４が設置され、前記軌跡空間７４の内壁にはカム軌跡が設置され、前記収納箱２０の下端面には軌跡係合ロッド６８が固定的に設置され、前記軌跡係合ロッド６８の下端が前記軌跡空間７４の内壁の中にあるカム軌跡と当接し、前記軌跡縦カム６９の外周面にはカム戻し歯車７０が固定的に設置され、前記画板収納空間１１の後壁には右へ前記リール空間５１の中まで伸びているラック板スライド溝２５が設置され、前記ラック板スライド溝２５の中にはラックスライドロッド７３がスライドできるように設置され、前記ラックスライドロッド７３の右端面と前記ラック板スライド溝２５の右壁との間が押圧ばね２６により固定的に接続され、前記ラックスライドロッド７３の前端には前記カム戻し歯車７０と噛み合う前記ラック４４が固定的に設置され、前記ラック４４の前端面には係合凸起ブロック４８が固定的に設置される。
【００２８】
有益なように、前記封鎖装置は前記画板収納空間１１の頂壁の中に設置される切換ロッド押出空間１３を含み、前記切換ロッド押出空間１３の左壁には戻し電気磁石１２が固定的に設置され、前記切換ロッド押出空間１３の中には右へ伸びており、且つ右端が前記収納箱２０の左端面と当接する前記封鎖板１４がスライドできるように設置される。
【００２９】
有益なように、前記切換装置が前記画板収納空間１１の左壁の中に設置される力蓄積空間５８を含み、前記力蓄積空間５８の中には押出ブロック６０がスライドできるように設置され、前記押出ブロック６０の左端面と前記力蓄積空間５８の左壁との間が力蓄積ばね５９により固定的に接続され、前記押出ブロック６０の右端面には上側が前記切換ロッド押出空間１３の中まで伸びている切換ロッド５７が固定的に設置され、前記切換ロッド５７と前記切換ロッド押出空間１３の左壁とがスライドできるように係合され、前記切換ロッド５７の上側右端と前記封鎖板１４の左端とが当接し、前記切換ロッド５７の下側が前記動力空間３４の中まで伸びており、前記動力空間３４の中には前記動力空間３４の底壁に固定的に接続される傾斜ブロック固定板３５が設置され、前記傾斜ブロック固定板３５の右端面には上傾斜ブロックスライド溝３６が設置され、前記上傾斜ブロックスライド溝３６の中には上傾斜ブロックスライドブロック３７が設置され、前記上傾斜ブロックスライドブロック３７の右端には上傾斜ブロック３３が固定的に設置され、前記動力空間３４の中には前記切換ロッド５７に固定的に接続される下傾斜ブロック３２が設置され、前記下傾斜ブロック３２と前記上傾斜ブロック３３とが当接し、前記上傾斜ブロック３３の上端面には切換軸６１が固定的に設置され、前記切換軸６１の上端には前記上主動傘歯車６３と噛み合う両面切換傘歯車７２が回転できるように設置され、前記両面切換傘歯車７２の上端面には前記カム伝動軸７１と係合されるスプライン軸６２が固定的に設置される。
【００３０】
有益なように、前記画板装置は前記メインテーブル１０の中に設置され、且つ前記画板収納空間１１の下側に位置する伝動空間５６を含み、前記伝動空間５６の右壁には右端が前記動力空間３４の中まで伸びている方向切換傘歯車軸３９が回転できるように設置され、前記動力空間３４の中には前記方向切換傘歯車軸３９の右端に固定的に接続される方向切換傘歯車３８が設置され、前記伝動空間５６の中には前記方向切換傘歯車軸３９の左端に固定的に接続されるサブ係合プーリ４２が設置され、前記伝動空間５６の右壁には右端が前記リール空間５１の中まで伸びている封鎖板収納伝動軸４０が回転できるように設置され、前記封鎖板収納伝動軸４０の左右両端には中間歯車４１が対称になるように固定的に設置され、右側にある前記中間歯車４１と前記リール伝動歯車２７とが噛み合う。
【００３１】
前記画板収納空間１１の底壁にはガイドスライド溝４７が設けられ、前記ガイドスライド溝４７の左壁には右端が前記伝動空間５６の中まで伸びている親ねじ４９が回転できるように設置され、前記伝動空間５６の中には前記親ねじ４９の右端に固定的に接続され、且つ左側にある前記中間歯車４１と噛み合う画板伝動歯車７５が設置され、前記伝動空間５６において前記親ねじ４９にはメイン係合プーリ４３が固定的に設置され、前記メイン係合プーリ４３と前記サブ係合プーリ４２とがベルトにより接続される。
【００３２】
前記ガイドスライド溝４７にはねじ山ガイドブロック４５がスライドできるように設置され、前記ねじ山ガイドブロック４５が前記親ねじ４９とねじ山によって接続され、前記ねじ山ガイドブロック４５の前端面には画板 ヒンジレバー４６がヒンジで繋がれ、前記画板収納空間１１の後壁には前記画板軸１６が回転できるように設置され、前記画板ヒンジレバー４６の左上端と前記画板１５の下端面とがヒンジで繋がれる。
【００３３】
また、前記ストック装置が前記メインテーブル１０の右端に設置されるストック箱５４を含む。
【００３４】
下記には、出願人は付図１−３と、上記の記載を参考して具体的に本出願の収納可能な画板を紹介する：
【００３５】
初期状態にある時、前記スプライン軸６２と前記カム伝動軸７１とが係合され、前記両面切換傘歯車７２と前記上主動傘歯車６３とが噛み合い、前記力蓄積ばね５９が圧縮状態にあり、前記収納箱２０が差出していない状態である。
【００３６】
画板を使用する時、正逆回転モーター２８の起動が前記動力軸２９を連動させて回転させ、前記動力軸２９が前記同調下プーリー３０と、前記同調上プーリー６４により前記主動軸６５を連動させて回転させ、前記主動軸６５が前記上主動傘歯車６３を連動させて回転させ、前記動力軸２９が前記下主動傘歯車３１を連動させて回転させ、前記上主動傘歯車６３が前記両面切換傘歯車７２を連動させて回転させ、前記両面切換傘歯車７２が前記スプライン軸６２により前記カム伝動軸７１を連動させて回転させ、前記カム伝動軸７１が前記軌跡縦カム６９を連動させて回転させ、前記軌跡係合ロッド６８を上昇させ、前記軌跡係合ロッド６８が上昇し、これにより前記封鎖板収納空間２１と前記封鎖板１４とが同じレベルの位置するようになり、前記永久磁石１７が前記封鎖板１４を右へ引きつけて前記封鎖板１４と前記封鎖板収納板１８とを密着させ、前記切換ロッド５７が前記力蓄積ばね５９の作用により右へ運動し、前記切換ロッド５７が前記下傾斜ブロック３２を連動させて右へ運動させ、前記上傾斜ブロック３３を下がらせ、前記上傾斜ブロック３３が前記切換軸６１を連動させて下がらせて前記両面切換傘歯車７２と前記上主動傘歯車６３とを噛み合う状態から離脱させ、前記スプライン軸６２と前記カム伝動軸７１とを係合される状態から離脱させ、前記両面切換傘歯車７２を前記下主動傘歯車３１と、前記方向切換傘歯車３８と噛み合わせ、前記下主動傘歯車３１が前記両面切換傘歯車７２により前記方向切換傘歯車３８を連動させて回転させ、前記方向切換傘歯車３８が前記サブ係合プーリ４２と、前記メイン係合プーリ４３により前記親ねじ４９を連動させて回転させ、前記親ねじ４９が前記画板伝動歯車７５と、前記中間歯車４１と、前記封鎖板収納伝動軸４０により前記リール伝動歯車２７を連動させて回転させ、前記リール伝動歯車２７が前記リール軸５３を連動させて回転させ、前記リール軸５３が糸を巻き始め、前記引き線８０により前記封鎖板１４を右へ引き動かして前記封鎖板収納空間２１の中に収納し、その同時前記封鎖板収納ばね２２を圧縮し、前記親ねじ４９が回転することにより前記ねじ山ガイドブロック４５を左へ運動させ、前記ねじ山ガイドブロック４５の左への運動が前記画板ヒンジレバー４６により前記画板１５を上昇させて、前記ねじ山ガイドブロック４５が右へ運動する過程中、前記係合凸起ブロック４８を右へ押圧して、前記収納箱２０を下がらせて元の位置に戻らせる。
【００３７】
元の位置に戻る時、前記正逆回転モーター２８の反転により前記画板装置を元の位置に戻らせ、前記係合凸起ブロック４８が前記押圧ばね２６の作用により元の位置に戻り、これにより前記収納箱２０を上昇させ、前記リール５２の反転により前記封鎖板収納板１８が前記封鎖板収納ばね２２の作用により前記封鎖板１４を押し出し、完全に押し出した後、
前記戻し電気磁石１２を起動させ、前記封鎖板１４を元の位置に戻らせ、前記封鎖板１４が元の位置に戻った後、前記切換装置を元の位置に戻らせ、前記両面切換傘歯車７２が前記上主動傘歯車６３と再び噛み合い、前記スプライン軸６２と前記カム伝動軸７１とが係合され、元の位置に戻る。
【００３８】
上記のように、本装置は構成が簡単で、使用しやすくて、画板を使用しない場合には装置の中に収納し、この時装置の上表面は欠けるところがないテーブルの表面であり、普通のテーブルとして使われることができ、装置を利用する効率を大いに高め、多くの空間を節約し、画板を使用しようとする時に、画板が自動的に伸び出し、人的な操作が必要でなく、使用完了の後にまた自動的に収納し、整理にかかる時間を大いに短縮し、仕事の効率を高める。
【００３９】
上記の記載はただ本発明における具体的な実施方式であり、但し本発明の保護範囲はこれに限定されるものではなく、創造的な労働を通じなく想到されるあらゆる変化と立ち代わりは本発明の保護範囲の中にカバーすべきであり、そのために、本発明の保護範囲は特許請求の範囲に限定された保護範囲に準じるべきである。
【手続補正書】
【提出日】令和1年12月2日(2019.12.2)
【手続補正１】
【補正対象書類名】特許請求の範囲
【補正対象項目名】全文
【補正方法】変更
【補正の内容】
【特許請求の範囲】
【請求項１】
メインテーブルと、前記メインテーブルの中に設置される画板収納空間を含み、前記メインテーブルの下端面にはサポートロッドが左右対称になるように固定的に設置され、前記画板収納空間が上方に開口しており、前記画板収納空間の中には封鎖装置が設置され、前記封鎖装置の中には前記画板収納空間を封鎖できる封鎖板が設置され、前記画板収納空間の中には画板装置が設置され、前記画板装置は画板軸に連結された画板を含み、前記メインテーブルの中には封鎖板収納装置が設置され、前記封鎖板収納装置の中には前記封鎖板を収納できる封鎖板収納空間が設置され、前記メインテーブルの中には動力空間が設置され、前記動力空間の中には動力装置が設置され、前記画板収納空間の中には切換装置が設置され、前記切換装置と前記封鎖装置とが係合されており、
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラックにより係合され、前記封鎖板収納装置と前記画板装置とが前記切換装置と、前記動力装置により係合されており、
また、前記メインテーブルの中にはストック装置が設置されることを特徴とする収納可能な画板。
【請求項２】
前記動力装置が前記動力空間の右壁に固定的に設置される正逆回転モーターを含み、前記正逆回転モーターの左端には動力軸が伝動できるように接続され、前記動力軸には同調下プーリーが固定的に設置され、前記動力軸の左端には下主動傘歯車が固定的に設置され、前記動力空間の右壁には主動軸が回転できるように設置され、前記主動軸には前記同調下プーリーと係合される同調上プーリーが固定的に設置され、前記主動軸の左端には上主動傘歯車が固定的に設置されており、
また、前記封鎖板収納装置は前記メインテーブルの中に設置され、且つ、前記画板収納空間の右側に位置するリール空間を含み、前記リール空間の右壁には収納箱スライド溝が設置され、前記収納箱スライド溝の中には収納箱スライドブロックがスライドできるように設置され、前記収納箱スライドブロックの左端には収納箱が固定的に設置され、前記収納箱の左端が前記画板収納空間の中まで伸びており、前記収納箱の中には封鎖板戻しばね空間が設置され、前記収納箱の中には前記封鎖板戻しばね空間の下側に位置し、且つ、前記封鎖板戻しばね空間を連通する封鎖板収納空間が設置され、前記封鎖板戻しばね空間の中には封鎖板収納板がスライドできるように設置され、前記封鎖板収納板の下端が前記封鎖板収納空間の中まで伸びており、前記封鎖板収納板の左端面には永久磁石が固定的に設置され、前記封鎖板収納板の右端面と前記封鎖板戻しばね空間の右壁との間が封鎖板収納ばねにより固定的に接続され、前記リール空間の右壁にはリール軸が回転できるように設置され、前記リール軸にはリールが固定的に設置され、前記リールには引き線が周設され、前記引き線は前記収納箱の中に回転できるように設置される糸巻き輪により導かれてから前記封鎖板収納空間の中まで伸びており、前記引き線の左端が前記封鎖板収納板の右端面に固定的に接続され、前記リール軸の左端にはリール伝動歯車が固定的に設置されており、
前記画板収納空間の底壁にはカム伝動軸が回転できるように設けられ、前記カム伝動軸が下へ前記動力空間の中まで伸びており、前記カム伝動軸の下端面にはスプライン穴が設置され、前記画板収納空間の中には前記カム伝動軸の上端に固定的に接続される軌跡縦カムが設置され、前記軌跡縦カムの中には軌跡空間が設置され、前記軌跡空間の内壁にはカム軌跡が設置され、前記収納箱の下端面には軌跡係合ロッドが固定的に設置され、前記軌跡係合ロッドの下端が前記軌跡空間の内壁の中にあるカム軌跡と当接し、前記軌跡縦カムの外周面にはカム戻し歯車が固定的に設置され、前記画板収納空間の後壁には右へ前記リール空間の中まで伸びているラック板スライド溝が設置され、前記ラック板スライド溝の中にはラックスライドロッドがスライドできるように設置され、前記ラックスライドロッドの右端面と前記ラック板スライド溝の右壁との間が押圧ばねにより固定的に接続され、前記ラックスライドロッドの前端には前記カム戻し歯車と噛み合う前記ラックが固定的に設置され、前記ラックの前端面には係合凸起ブロックが固定的に設置されることを特徴とする請求項１に記載の収納可能な画板。
【請求項３】
前記封鎖装置は前記画板収納空間の頂壁の中に設置される切換ロッド押出空間を含み、前記切換ロッド押出空間の左壁には戻し電気磁石が固定的に設置され、前記切換ロッド押出空間の中には切換ロッドがスライドできるように設置され、且つ前記切換ロッドの右端には封鎖板が固定的に設置され、前記封鎖板は右方へ延在し、且つ前記封鎖板の右端は前記収納箱の左面と当接しており、
また、前記切換装置が前記画板収納空間の左壁の中に設置される力蓄積空間を含み、前記力蓄積空間の中には押出ブロックがスライドできるように設置され、前記押出ブロックの左端面と前記力蓄積空間の左壁との間が力蓄積ばねにより固定的に接続され、前記押出ブロックの右端面には上側が前記切換ロッド押出空間の中まで伸びている切換ロッドが固定的に設置され、前記切換ロッドと前記切換ロッド押出空間の左壁とがスライドできるように係合され、前記切換ロッドの上側右端と前記封鎖板の左端とが当接し、前記切換ロッドの下側が前記動力空間の中まで伸びており、前記動力空間の中には前記動力空間の底壁に固定的に接続される傾斜ブロック固定板が設置され、前記傾斜ブロック固定板の右端面には上傾斜ブロックスライド溝が設置され、前記上傾斜ブロックスライド溝の中には上傾斜ブロックスライドブロックが設置され、前記上傾斜ブロックスライドブロックの右端には上傾斜ブロックが固定的に設置され、前記動力空間の中には前記切換ロッドに固定的に接続される下傾斜ブロックが設置され、前記下傾斜ブロックと前記上傾斜ブロックとが当接し、前記上傾斜ブロックの上端面には切換軸が固定的に設置され、前記切換軸の上端には前記上主動傘歯車と噛み合う両面切換傘歯車が回転できるように設置され、前記両面切換傘歯車の上端面には前記カム伝動軸と係合されるスプライン軸が固定的に設置されることを特徴とする請求項２に記載の収納可能な画板。
【請求項４】
前記画板装置は前記メインテーブルの中に設置され、且つ前記画板収納空間の下側に位置する伝動空間を含み、前記伝動空間の右壁には右端が前記動力空間の中まで伸びている方向切換傘歯車軸が回転できるように設置され、前記動力空間の中には前記方向切換傘歯車軸の右端に固定的に接続される方向切換傘歯車が設置され、前記伝動空間の中には前記方向切換傘歯車軸の左端に固定的に接続されるサブ係合プーリが設置され、前記伝動空間の右壁には右端が前記リール空間の中まで伸びている封鎖板収納伝動軸が回転できるように設置され、前記封鎖板収納伝動軸の左右両端には中間歯車が対称になるように固定的に設置され、右側にある前記中間歯車と前記リール伝動歯車とが噛み合っており、
前記画板収納空間の底壁にはガイドスライド溝が設けられ、前記ガイドスライド溝の左壁には右端が前記伝動空間の中まで伸びている親ねじが回転できるように設置され、前記伝動空間の中には前記親ねじの右端に固定的に接続され、且つ左側にある前記中間歯車と噛み合う画板伝動歯車が設置され、前記伝動空間において前記親ねじにはメイン係合プーリが固定的に設置され、前記メイン係合プーリと前記サブ係合プーリとがベルトにより接続されており、
前記ガイドスライド溝にはねじ山ガイドブロックがスライドできるように設置され、前記ねじ山ガイドブロックが前記親ねじとねじ山によって接続され、前記ねじ山ガイドブロックの前端面には画板  ヒンジレバーがヒンジで繋がれ、前記画板収納空間の後壁には前記画板軸が回転できるように設置され、前記画板ヒンジレバーの左上端と前記画板の下端面とがヒンジで繋がれており、
また、前記ストック装置が前記メインテーブルの右端に設置されるストック箱を含むことを特徴とする請求項３に記載の収納可能な画板。
【手続補正２】
【補正対象書類名】明細書
【補正対象項目名】全文
【補正方法】変更
【補正の内容】
【発明の詳細な説明】
【技術分野】
【０００１】
本発明は機械技術分野に関わり、具体的には収納可能な画板である。
【背景技術】
【０００２】
仕事上と生活上には画板の使用を需要とすることがよくある。多数の画板は木製で、手触りが軽くて、滑らかであり、特に手で製図することを必要とする時、画板の体積が大きくて、使用中の調整とサポートが煩雑で、使用した後の収納が多くの労力をかかり、且つ、スペースを占用し過ぎて、より大きな短所があり、改善が必要である。
【先行技術文献】
【特許文献】
【０００３】
【特許文献１】中国特許出願公開第１０６７２４３４２号明細書
【発明の概要】
【発明が解決しようとする課題】
【０００４】
上記技術の不足に対して、本発明は収納可能な画板を開示した。
【課題を解決するための手段】
【０００５】
本発明は収納可能な画板であり、メインテーブルと、前記メインテーブルの中に設置される画板収納空間を含み、その特徴は：前記メインテーブルの下端面にはサポートロッドが左右対称になるように固定的に設置され、前記画板収納空間が上方に開口しており、前記画板収納空間の中には封鎖装置が設置され、前記封鎖装置の中には前記画板収納空間を封鎖できる封鎖板が設置され、前記画板収納空間の中には画板装置が設置され、前記画板装置は画板軸に連結された画板を含み、前記メインテーブルの中には封鎖板収納装置が設置され、前記封鎖板収納装置の中には前記封鎖板を収納できる封鎖板収納空間が設置され、前記メインテーブルの中には動力空間が設置され、前記動力空間の中には動力装置が設置され、前記画板収納空間の中には切換装置が設置され、前記切換装置と前記封鎖装置とが係合される。
【０００６】
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラックにより係合され、前記封鎖板収納装置と前記画板装置とが前記切換装置と、前記動力装置により係合され。
【０００７】
また、前記メインテーブルの中にはストック装置が設置される。
【０００８】
優先的には、前記動力装置が前記動力空間の右壁に固定的に設置される正逆回転モーターを含み、前記正逆回転モーターの左端には動力軸が伝動できるように接続され、前記動力軸には同調下プーリーが固定的に設置され、前記動力軸の左端には下主動傘歯車が固定的に設置され、前記動力空間の右壁には主動軸が回転できるように設置され、前記主動軸には前記同調下プーリーと係合される同調上プーリーが固定的に設置され、前記主動軸の左端には上主動傘歯車が固定的に設置される。
【０００９】
また、前記封鎖板収納装置は前記メインテーブルの中に設置され、且つ、前記画板収納空間の右側に位置するリール空間を含み、前記リール空間の右壁には収納箱スライド溝が設置され、前記収納箱スライド溝の中には収納箱スライドブロックがスライドできるように設置され、前記収納箱スライドブロックの左端には収納箱が固定的に設置され、前記収納箱の左端が前記画板収納空間の中まで伸びており、前記収納箱の中には封鎖板戻しばね空間が設置され、前記収納箱の中には前記封鎖板戻しばね空間の下側に位置し、且つ、前記封鎖板戻しばね空間を連通する封鎖板収納空間が設置され、前記封鎖板戻しばね空間の中には封鎖板収納板がスライドできるように設置され、前記封鎖板収納板の下端が前記封鎖板収納空間の中まで伸びており、前記封鎖板収納板の左端面には永久磁石が固定的に設置され、前記封鎖板収納板の右端面と前記封鎖板戻しばね空間の右壁との間が封鎖板収納ばねにより固定的に接続され、前記リール空間の右壁にはリール軸が回転できるように設置され、前記リール軸にはリールが固定的に設置され、前記リールには引き線が周設され、
前記引き線は前記収納箱の中に回転できるように設置される糸巻き輪により導かれてから前記封鎖板収納空間の中まで伸びており、前記引き線の左端が前記封鎖板収納板の右端面に固定的に接続され、前記リール軸の左端にはリール伝動歯車が固定的に設置される。
【００１０】
前記画板収納空間の底壁にはカム伝動軸が回転できるように設けられ、前記カム伝動軸が下へ前記動力空間の中まで伸びており、前記カム伝動軸の下端面にはスプライン穴が設置され、前記画板収納空間の中には前記カム伝動軸の上端に固定的に接続される軌跡縦カムが設置され、前記軌跡縦カムの中には軌跡空間が設置され、前記軌跡空間の内壁にはカム軌跡が設置され、前記収納箱の下端面には軌跡係合ロッドが固定的に設置され、
前記軌跡係合ロッドの下端が前記軌跡空間の内壁の中にあるカム軌跡と当接し、前記軌跡縦カムの外周面にはカム戻し歯車が固定的に設置され、前記画板収納空間の後壁には右へ前記リール空間の中まで伸びているラック板スライド溝が設置され、前記ラック板スライド溝の中にはラックスライドロッドがスライドできるように設置され、前記ラックスライドロッドの右端面と前記ラック板スライド溝の右壁との間が押圧ばねにより固定的に接続され、前記ラックスライドロッドの前端には前記カム戻し歯車と噛み合う前記ラックが固定的に設置され、前記ラックの前端面には係合凸起ブロックが固定的に設置される。
【００１１】
優先的には、前記封鎖装置は前記画板収納空間の頂壁の中に設置される切換ロッド押出空間を含み、前記切換ロッド押出空間の左壁には戻し電気磁石が固定的に設置され、前記切換ロッド押出空間の中には切換ロッドがスライドできるように設置され、且つ前記切換ロッドの右端には封鎖板が固定的に設置され、前記封鎖板は右方へ延在し、且つ前記封鎖板の右端は前記収納箱の左面と当接している。
【００１２】
また、前記切換装置が前記画板収納空間の左壁の中に設置される力蓄積空間を含み、前記力蓄積空間の中には押出ブロックがスライドできるように設置され、前記押出ブロックの左端面と前記力蓄積空間の左壁との間が力蓄積ばねにより固定的に接続され、前記押出ブロックの右端面には上側が前記切換ロッド押出空間の中まで伸びている切換ロッドが固定的に設置され、前記切換ロッドと前記切換ロッド押出空間の左壁とがスライドできるように係合され、前記切換ロッドの上側右端と前記封鎖板の左端とが当接し、前記切換ロッドの下側が前記動力空間の中まで伸びており、前記動力空間の中には前記動力空間の底壁に固定的に接続される傾斜ブロック固定板が設置され、前記傾斜ブロック固定板の右端面には上傾斜ブロックスライド溝が設置され、前記上傾斜ブロックスライド溝の中には上傾斜ブロックスライドブロックが設置され、前記上傾斜ブロックスライドブロックの右端には上傾斜ブロックが固定的に設置され、前記動力空間の中には前記切換ロッドに固定的に接続される下傾斜ブロックが設置され、前記下傾斜ブロックと前記上傾斜ブロックとが当接し、前記上傾斜ブロックの上端面には切換軸が固定的に設置され、前記切換軸の上端には前記上主動傘歯車と噛み合う両面切換傘歯車が回転できるように設置され、前記両面切換傘歯車の上端面には前記カム伝動軸と係合されるスプライン軸が固定的に設置される。
【００１３】
優先的には、前記画板装置は前記メインテーブルの中に設置され、且つ前記画板収納空間の下側に位置する伝動空間を含み、前記伝動空間の右壁には右端が前記動力空間の中まで伸びている方向切換傘歯車軸が回転できるように設置され、前記動力空間の中には前記方向切換傘歯車軸の右端に固定的に接続される方向切換傘歯車が設置され、前記伝動空間の中には前記方向切換傘歯車軸の左端に固定的に接続されるサブ係合プーリが設置され、前記伝動空間の右壁には右端が前記リール空間の中まで伸びている封鎖板収納伝動軸が回転できるように設置され、前記封鎖板収納伝動軸の左右両端には中間歯車が対称になるように固定的に設置され、右側にある前記中間歯車と前記リール伝動歯車とが噛み合う。
【００１４】
前記画板収納空間の底壁にはガイドスライド溝が設けられ、前記ガイドスライド溝の左壁には右端が前記伝動空間の中まで伸びている親ねじが回転できるように設置され、前記伝動空間の中には前記親ねじの右端に固定的に接続され、且つ左側にある前記中間歯車と噛み合う画板伝動歯車が設置され、前記伝動空間において前記親ねじにはメイン係合プーリが固定的に設置され、前記メイン係合プーリと前記サブ係合プーリとがベルトにより接続される。
【００１５】
前記ガイドスライド溝にはねじ山ガイドブロックがスライドできるように設置され、前記ねじ山ガイドブロックが前記親ねじとねじ山によって接続され、前記ねじ山ガイドブロックの前端面には画板  ヒンジレバーがヒンジで繋がれ、前記画板収納空間の後壁には前記画板軸が回転できるように設置され、前記画板ヒンジレバーの左上端と前記画板の下端面とがヒンジで繋がれる。
【００１６】
また、前記ストック装置が前記メインテーブルの右端に設置されるストック箱を含む。
【発明の効果】
【００１７】
以上により、本装置は構成が簡単で、使用しやすくて、画板を使用しない場合には装置の中に収納し、この時装置の上表面は欠けるところがないテーブルの表面であり、普通なテーブルとして使われることができ、装置を利用する効率を大いに高め、多くの空間を節約し、画板を使用しようとする時に、画板が自動的に伸び出し、人的な操作が必要なく、使用完了の後にまた自動的に収納し、整理にかかる時間を大いに短縮し、仕事の効率を高める。
【図面の簡単な説明】
【００１８】
発明の実施例または既存の技術の中の技術方案をより詳しく説明できるため、下記には実施例または既存の技術を説明することに必要な付図に対して簡単に紹介し、明らかなように、下記に記載の付図はただ発明の一部分の実施例であり、当業者にとって、創造的な労働を払わなくても、これらの付図に基づいて他の付図を獲得することができる。
【００１９】
【図１】図１は本発明の収納可能な画板の総体構造概略図である。
【図２】図２は図１のＡのところの概略図である。
【図３】図３は図２のＢ−Ｂのところの概略図である。
【発明を実施するための形態】
【００２０】
相互排斥する特徴またはステップを除き、本説明書に公開したすべての特徴、若しくは公開したすべての方法または過程中のステップはいずれもあらゆる方式で組み合わせることができる。
【００２１】
本説明書（すべての特許請求の範囲と、要約書と付図を含む）に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２２】
図１−３の示しているように、本発明装置は収納可能な画板であり、メインテーブル１０と、前記メインテーブル１０の中に設置される画板収納空間１１を含み、前記メインテーブル１０の下端面にはサポートロッド５５が左右対称になるように固定的に設置され、前記画板収納空間１１が上方に開口しており、前記画板収納空間１１の中には封鎖装置が設置され、前記封鎖装置の中には前記画板収納空間１１を封鎖できる封鎖板１４が設置され、前記画板収納空間１１の中には画板装置が設置され、前記画板装置は画板軸１６に連結された画板１５を含み、前記メインテーブル１０の中には封鎖板収納装置が設置され、
前記封鎖板収納装置の中には前記封鎖板１４を収納できる封鎖板収納空間２１が設置され、前記メインテーブル１０の中には動力空間３４が設置され、前記動力空間３４の中には動力装置が設置され、前記画板収納空間１１の中には切換装置が設置され、前記切換装置と前記封鎖装置とが係合される。
【００２３】
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラック４４により係合され、前記封鎖板収納装置と前記画板装置とが前記切換装置と、前記動力装置により係合され。
【００２４】
また、前記メインテーブル１０の中にはストック装置が設置される。
【００２５】
有益なように、前記動力装置が前記動力空間３４の右壁に固定的に設置される正逆回転モーター２８を含み、前記正逆回転モーター２８の左端には動力軸２９が伝動できるように接続され、前記動力軸２９には同調下プーリー３０が固定的に設置され、前記動力軸２９の左端には下主動傘歯車３１が固定的に設置され、前記動力空間３４の右壁には主動軸６５が回転できるように設置され、前記主動軸６５には前記同調下プーリー３０と係合される同調上プーリー６４が固定的に設置され、前記主動軸６５の左端には上主動傘歯車６３が固定的に設置される。
【００２６】
有益なように、前記封鎖板収納装置は前記メインテーブル１０の中に設置され、且つ、前記画板収納空間１１の右側に位置するリール空間５１を含み、前記リール空間５１の右壁には収納箱スライド溝２４が設置され、前記収納箱スライド溝２４の中には収納箱スライドブロック５０がスライドできるように設置され、前記収納箱スライドブロック５０の左端には収納箱２０が固定的に設置され、前記収納箱２０の左端が前記画板収納空間１１の中まで伸びており、前記収納箱２０の中には封鎖板戻しばね空間１９が設置され、前記収納箱２０の中には前記封鎖板戻しばね空間１９の下側に位置し、且つ、前記封鎖板戻しばね空間１９を連通する封鎖板収納空間２１が設置され、前記封鎖板戻しばね空間１９の中には封鎖板収納板１８がスライドできるように設置され、前記封鎖板収納板１８の下端が前記封鎖板収納空間２１の中まで伸びており、前記封鎖板収納板１８の左端面には永久磁石１７が固定的に設置され、前記封鎖板収納板１８の右端面と前記封鎖板戻しばね空間１９の右壁との間が封鎖板収納ばね２２により固定的に接続され、前記リール空間５１の右壁にはリール軸５３が回転できるように設置され、前記リール軸５３にはリール５２が固定的に設置され、前記リール５２には引き線８０が周設され、前記引き線８０は前記収納箱２０の中に回転できるように設置される糸巻き輪２３により導かれてから前記封鎖板収納空間２１の中まで伸びており、前記引き線８０の左端が前記封鎖板収納板１８の右端面に固定的に接続され、前記リール軸５３の左端にはリール伝動歯車２７が固定的に設置される。
【００２７】
前記画板収納空間１１の底壁にはカム伝動軸７１が回転できるように設けられ、前記カム伝動軸７１が下へ前記動力空間３４の中まで伸びており、前記カム伝動軸７１の下端面にはスプライン穴が設置され、前記画板収納空間１１の中には前記カム伝動軸７１の上端に固定的に接続される軌跡縦カム６９が設置され、前記軌跡縦カム６９の中には軌跡空間７４が設置され、前記軌跡空間７４の内壁にはカム軌跡が設置され、前記収納箱２０の下端面には軌跡係合ロッド６８が固定的に設置され、前記軌跡係合ロッド６８の下端が前記軌跡空間７４の内壁の中にあるカム軌跡と当接し、前記軌跡縦カム６９の外周面にはカム戻し歯車７０が固定的に設置され、前記画板収納空間１１の後壁には右へ前記リール空間５１の中まで伸びているラック板スライド溝２５が設置され、前記ラック板スライド溝２５の中にはラックスライドロッド７３がスライドできるように設置され、前記ラックスライドロッド７３の右端面と前記ラック板スライド溝２５の右壁との間が押圧ばね２６により固定的に接続され、前記ラックスライドロッド７３の前端には前記カム戻し歯車７０と噛み合う前記ラック４４が固定的に設置され、前記ラック４４の前端面には係合凸起ブロック４８が固定的に設置される。
【００２８】
有益なように、前記封鎖装置は前記画板収納空間１１の頂壁の中に設置される切換ロッド押出空間１３を含み、前記切換ロッド押出空間１３の左壁には戻し電気磁石１２が固定的に設置され、前記切換ロッド押出空間１３の中には切換ロッド５７がスライドできるように設置され、且つ前記切換ロッド５７の右端には封鎖板１４が固定的に設置され、前記封鎖板１４は右方へ延在し、且つ前記封鎖板１４の右端は前記収納箱２０の左面と当接している。
【００２９】
有益なように、前記切換装置が前記画板収納空間１１の左壁の中に設置される力蓄積空間５８を含み、前記力蓄積空間５８の中には押出ブロック６０がスライドできるように設置され、前記押出ブロック６０の左端面と前記力蓄積空間５８の左壁との間が力蓄積ばね５９により固定的に接続され、前記押出ブロック６０の右端面には上側が前記切換ロッド押出空間１３の中まで伸びている切換ロッド５７が固定的に設置され、前記切換ロッド５７と前記切換ロッド押出空間１３の左壁とがスライドできるように係合され、前記切換ロッド５７の上側右端と前記封鎖板１４の左端とが当接し、前記切換ロッド５７の下側が前記動力空間３４の中まで伸びており、前記動力空間３４の中には前記動力空間３４の底壁に固定的に接続される傾斜ブロック固定板３５が設置され、前記傾斜ブロック固定板３５の右端面には上傾斜ブロックスライド溝３６が設置され、前記上傾斜ブロックスライド溝３６の中には上傾斜ブロックスライドブロック３７が設置され、前記上傾斜ブロックスライドブロック３７の右端には上傾斜ブロック３３が固定的に設置され、前記動力空間３４の中には前記切換ロッド５７に固定的に接続される下傾斜ブロック３２が設置され、前記下傾斜ブロック３２と前記上傾斜ブロック３３とが当接し、前記上傾斜ブロック３３の上端面には切換軸６１が固定的に設置され、前記切換軸６１の上端には前記上主動傘歯車６３と噛み合う両面切換傘歯車７２が回転できるように設置され、前記両面切換傘歯車７２の上端面には前記カム伝動軸７１と係合されるスプライン軸６２が固定的に設置される。
【００３０】
有益なように、前記画板装置は前記メインテーブル１０の中に設置され、且つ前記画板収納空間１１の下側に位置する伝動空間５６を含み、前記伝動空間５６の右壁には右端が前記動力空間３４の中まで伸びている方向切換傘歯車軸３９が回転できるように設置され、前記動力空間３４の中には前記方向切換傘歯車軸３９の右端に固定的に接続される方向切換傘歯車３８が設置され、前記伝動空間５６の中には前記方向切換傘歯車軸３９の左端に固定的に接続されるサブ係合プーリ４２が設置され、前記伝動空間５６の右壁には右端が前記リール空間５１の中まで伸びている封鎖板収納伝動軸４０が回転できるように設置され、前記封鎖板収納伝動軸４０の左右両端には中間歯車４１が対称になるように固定的に設置され、右側にある前記中間歯車４１と前記リール伝動歯車２７とが噛み合う。
【００３１】
前記画板収納空間１１の底壁にはガイドスライド溝４７が設けられ、前記ガイドスライド溝４７の左壁には右端が前記伝動空間５６の中まで伸びている親ねじ４９が回転できるように設置され、前記伝動空間５６の中には前記親ねじ４９の右端に固定的に接続され、且つ左側にある前記中間歯車４１と噛み合う画板伝動歯車７５が設置され、前記伝動空間５６において前記親ねじ４９にはメイン係合プーリ４３が固定的に設置され、前記メイン係合プーリ４３と前記サブ係合プーリ４２とがベルトにより接続される。
【００３２】
前記ガイドスライド溝４７にはねじ山ガイドブロック４５がスライドできるように設置され、前記ねじ山ガイドブロック４５が前記親ねじ４９とねじ山によって接続され、前記ねじ山ガイドブロック４５の前端面には画板  ヒンジレバー４６がヒンジで繋がれ、前記画板収納空間１１の後壁には前記画板軸１６が回転できるように設置され、前記画板ヒンジレバー４６の左上端と前記画板１５の下端面とがヒンジで繋がれる。
【００３３】
また、前記ストック装置が前記メインテーブル１０の右端に設置されるストック箱５４を含む。
【００３４】
下記には、出願人は付図１−３と、上記の記載を参考して具体的に本出願の収納可能な画板を紹介する：
【００３５】
初期状態にある時、前記スプライン軸６２と前記カム伝動軸７１とが係合され、前記両面切換傘歯車７２と前記上主動傘歯車６３とが噛み合い、前記力蓄積ばね５９が圧縮状態にあり、前記収納箱２０が差出していない状態である。
【００３６】
画板を使用する時、正逆回転モーター２８の起動が前記動力軸２９を連動させて回転させ、前記動力軸２９が前記同調下プーリー３０と、前記同調上プーリー６４により前記主動軸６５を連動させて回転させ、前記主動軸６５が前記上主動傘歯車６３を連動させて回転させ、前記動力軸２９が前記下主動傘歯車３１を連動させて回転させ、前記上主動傘歯車６３が前記両面切換傘歯車７２を連動させて回転させ、前記両面切換傘歯車７２が前記スプライン軸６２により前記カム伝動軸７１を連動させて回転させ、前記カム伝動軸７１が前記軌跡縦カム６９を連動させて回転させ、前記軌跡係合ロッド６８を上昇させ、前記軌跡係合ロッド６８が上昇し、これにより前記封鎖板収納空間２１と前記封鎖板１４とが同じレベルの位置するようになり、前記永久磁石１７が前記封鎖板１４を右へ引きつけて前記封鎖板１４と前記封鎖板収納板１８とを密着させ、前記切換ロッド５７が前記力蓄積ばね５９の作用により右へ運動し、前記切換ロッド５７が前記下傾斜ブロック３２を連動させて右へ運動させ、前記上傾斜ブロック３３を下がらせ、前記上傾斜ブロック３３が前記切換軸６１を連動させて下がらせて前記両面切換傘歯車７２と前記上主動傘歯車６３とを噛み合う状態から離脱させ、前記スプライン軸６２と前記カム伝動軸７１とを係合される状態から離脱させ、前記両面切換傘歯車７２を前記下主動傘歯車３１と、前記方向切換傘歯車３８と噛み合わせ、前記下主動傘歯車３１が前記両面切換傘歯車７２により前記方向切換傘歯車３８を連動させて回転させ、前記方向切換傘歯車３８が前記サブ係合プーリ４２と、前記メイン係合プーリ４３により前記親ねじ４９を連動させて回転させ、前記親ねじ４９が前記画板伝動歯車７５と、前記中間歯車４１と、前記封鎖板収納伝動軸４０により前記リール伝動歯車２７を連動させて回転させ、前記リール伝動歯車２７が前記リール軸５３を連動させて回転させ、前記リール軸５３が糸を巻き始め、前記引き線８０により前記封鎖板１４を右へ引き動かして前記封鎖板収納空間２１の中に収納し、その同時前記封鎖板収納ばね２２を圧縮し、前記親ねじ４９が回転することにより前記ねじ山ガイドブロック４５を左へ運動させ、前記ねじ山ガイドブロック４５の左への運動が前記画板ヒンジレバー４６により前記画板１５を上昇させて、前記ねじ山ガイドブロック４５が右へ運動する過程中、前記係合凸起ブロック４８を右へ押圧して、前記収納箱２０を下がらせて元の位置に戻らせる。
【００３７】
元の位置に戻る時、前記正逆回転モーター２８の反転により前記画板装置を元の位置に戻らせ、前記係合凸起ブロック４８が前記押圧ばね２６の作用により元の位置に戻り、これにより前記収納箱２０を上昇させ、前記リール５２の反転により前記封鎖板収納板１８が前記封鎖板収納ばね２２の作用により前記封鎖板１４を押し出し、完全に押し出した後、
前記戻し電気磁石１２を起動させ、前記封鎖板１４を元の位置に戻らせ、前記封鎖板１４が元の位置に戻った後、前記切換装置を元の位置に戻らせ、前記両面切換傘歯車７２が前記上主動傘歯車６３と再び噛み合い、前記スプライン軸６２と前記カム伝動軸７１とが係合され、元の位置に戻る。
【００３８】
上記のように、本装置は構成が簡単で、使用しやすくて、画板を使用しない場合には装置の中に収納し、この時装置の上表面は欠けるところがないテーブルの表面であり、普通のテーブルとして使われることができ、装置を利用する効率を大いに高め、多くの空間を節約し、画板を使用しようとする時に、画板が自動的に伸び出し、人的な操作が必要でなく、使用完了の後にまた自動的に収納し、整理にかかる時間を大いに短縮し、仕事の効率を高める。
【００３９】
上記の記載はただ本発明における具体的な実施方式であり、但し本発明の保護範囲はこれに限定されるものではなく、創造的な労働を通じなく想到されるあらゆる変化と立ち代わりは本発明の保護範囲の中にカバーすべきであり、そのために、本発明の保護範囲は特許請求の範囲に限定された保護範囲に準じるべきである。
【手続補正書】
【提出日】令和2年4月14日(2020.4.14)
【手続補正１】
【補正対象書類名】特許請求の範囲
【補正対象項目名】請求項３
【補正方法】変更
【補正の内容】
【請求項３】
前記封鎖装置は前記画板収納空間の頂壁の中に設置される切換ロッド押出空間を含み、前記切換ロッド押出空間の左壁には戻し電気磁石が固定的に設置され、前記切換ロッド押出空間の中には右へ伸びており、且つ右端が前記収納箱の左端面と当接する前記封鎖板がスライドできるように設置されており、
また、前記切換装置が前記画板収納空間の左壁の中に設置される力蓄積空間を含み、前記力蓄積空間の中には押出ブロックがスライドできるように設置され、前記押出ブロックの左端面と前記力蓄積空間の左壁との間が力蓄積ばねにより固定的に接続され、前記押出ブロックの右端面には上側が前記切換ロッド押出空間の中まで伸びている切換ロッドが固定的に設置され、前記切換ロッドと前記切換ロッド押出空間の左壁とがスライドできるように係合され、前記切換ロッドの上側右端と前記封鎖板の左端とが当接し、前記切換ロッドの下側が前記動力空間の中まで伸びており、前記動力空間の中には前記動力空間の底壁に固定的に接続される傾斜ブロック固定板が設置され、前記傾斜ブロック固定板の右端面には上傾斜ブロックスライド溝が設置され、前記上傾斜ブロックスライド溝の中には上傾斜ブロックスライドブロックが設置され、前記上傾斜ブロックスライドブロックの右端には上傾斜ブロックが固定的に設置され、前記動力空間の中には前記切換ロッドに固定的に接続される下傾斜ブロックが設置され、前記下傾斜ブロックと前記上傾斜ブロックとが当接し、前記上傾斜ブロックの上端面には切換軸が固定的に設置され、前記切換軸の上端には前記上主動傘歯車と噛み合う両面切換傘歯車が回転できるように設置され、前記両面切換傘歯車の上端面には前記カム伝動軸と係合されるスプライン軸が固定的に設置されることを特徴とする請求項２に記載の収納可能な画板。
【手続補正２】
【補正対象書類名】明細書
【補正対象項目名】全文
【補正方法】変更
【補正の内容】
【発明の詳細な説明】
【技術分野】
【０００１】
本発明は機械技術分野に関わり、具体的には収納可能な画板である。
【背景技術】
【０００２】
仕事上と生活上には画板の使用を需要とすることがよくある。多数の画板は木製で、手触りが軽くて、滑らかであり、特に手で製図することを必要とする時、画板の体積が大きくて、使用中の調整とサポートが煩雑で、使用した後の収納が多くの労力をかかり、且つ、スペースを占用し過ぎて、より大きな短所があり、改善が必要である。
【先行技術文献】
【特許文献】
【０００３】
【特許文献１】中国特許出願公開第１０６７２４３４２号明細書
【発明の概要】
【発明が解決しようとする課題】
【０００４】
上記技術の不足に対して、本発明は収納可能な画板を開示した。
【課題を解決するための手段】
【０００５】
本発明は収納可能な画板であり、メインテーブルと、前記メインテーブルの中に設置される画板収納空間を含み、その特徴は：前記メインテーブルの下端面にはサポートロッドが左右対称になるように固定的に設置され、前記画板収納空間が上方に開口しており、前記画板収納空間の中には封鎖装置が設置され、前記封鎖装置の中には前記画板収納空間を封鎖できる封鎖板が設置され、前記画板収納空間の中には画板装置が設置され、前記画板装置は画板軸に連結された画板を含み、前記メインテーブルの中には封鎖板収納装置が設置され、前記封鎖板収納装置の中には前記封鎖板を収納できる封鎖板収納空間が設置され、前記メインテーブルの中には動力空間が設置され、前記動力空間の中には動力装置が設置され、前記画板収納空間の中には切換装置が設置され、前記切換装置と前記封鎖装置とが係合される。
【０００６】
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラックにより係合され、前記封鎖板収納装置と前記画板装置とが前記切換装置と、前記動力装置により係合され。
【０００７】
また、前記メインテーブルの中にはストック装置が設置される。
【０００８】
優先的には、前記動力装置が前記動力空間の右壁に固定的に設置される正逆回転モーターを含み、前記正逆回転モーターの左端には動力軸が伝動できるように接続され、前記動力軸には同調下プーリーが固定的に設置され、前記動力軸の左端には下主動傘歯車が固定的に設置され、前記動力空間の右壁には主動軸が回転できるように設置され、前記主動軸には前記同調下プーリーと係合される同調上プーリーが固定的に設置され、前記主動軸の左端には上主動傘歯車が固定的に設置される。
【０００９】
また、前記封鎖板収納装置は前記メインテーブルの中に設置され、且つ、前記画板収納空間の右側に位置するリール空間を含み、前記リール空間の右壁には収納箱スライド溝が設置され、前記収納箱スライド溝の中には収納箱スライドブロックがスライドできるように設置され、前記収納箱スライドブロックの左端には収納箱が固定的に設置され、前記収納箱の左端が前記画板収納空間の中まで伸びており、前記収納箱の中には封鎖板戻しばね空間が設置され、前記収納箱の中には前記封鎖板戻しばね空間の下側に位置し、且つ、前記封鎖板戻しばね空間を連通する封鎖板収納空間が設置され、前記封鎖板戻しばね空間の中には封鎖板収納板がスライドできるように設置され、前記封鎖板収納板の下端が前記封鎖板収納空間の中まで伸びており、前記封鎖板収納板の左端面には永久磁石が固定的に設置され、前記封鎖板収納板の右端面と前記封鎖板戻しばね空間の右壁との間が封鎖板収納ばねにより固定的に接続され、前記リール空間の右壁にはリール軸が回転できるように設置され、前記リール軸にはリールが固定的に設置され、前記リールには引き線が周設され、
前記引き線は前記収納箱の中に回転できるように設置される糸巻き輪により導かれてから前記封鎖板収納空間の中まで伸びており、前記引き線の左端が前記封鎖板収納板の右端面に固定的に接続され、前記リール軸の左端にはリール伝動歯車が固定的に設置される。
【００１０】
前記画板収納空間の底壁にはカム伝動軸が回転できるように設けられ、前記カム伝動軸が下へ前記動力空間の中まで伸びており、前記カム伝動軸の下端面にはスプライン穴が設置され、前記画板収納空間の中には前記カム伝動軸の上端に固定的に接続される軌跡縦カムが設置され、前記軌跡縦カムの中には軌跡空間が設置され、前記軌跡空間の内壁にはカム軌跡が設置され、前記収納箱の下端面には軌跡係合ロッドが固定的に設置され、
前記軌跡係合ロッドの下端が前記軌跡空間の内壁の中にあるカム軌跡と当接し、前記軌跡縦カムの外周面にはカム戻し歯車が固定的に設置され、前記画板収納空間の後壁には右へ前記リール空間の中まで伸びているラック板スライド溝が設置され、前記ラック板スライド溝の中にはラックスライドロッドがスライドできるように設置され、前記ラックスライドロッドの右端面と前記ラック板スライド溝の右壁との間が押圧ばねにより固定的に接続され、前記ラックスライドロッドの前端には前記カム戻し歯車と噛み合う前記ラックが固定的に設置され、前記ラックの前端面には係合凸起ブロックが固定的に設置される。
【００１１】
優先的には、前記封鎖装置は前記画板収納空間の頂壁の中に設置される切換ロッド押出空間を含み、前記切換ロッド押出空間の左壁には戻し電気磁石が固定的に設置され、前記切換ロッド押出空間の中には右へ伸びており、且つ右端が前記収納箱の左端面と当接する前記封鎖板がスライドできるように設置されている。
【００１２】
また、前記切換装置が前記画板収納空間の左壁の中に設置される力蓄積空間を含み、前記力蓄積空間の中には押出ブロックがスライドできるように設置され、前記押出ブロックの左端面と前記力蓄積空間の左壁との間が力蓄積ばねにより固定的に接続され、前記押出ブロックの右端面には上側が前記切換ロッド押出空間の中まで伸びている切換ロッドが固定的に設置され、前記切換ロッドと前記切換ロッド押出空間の左壁とがスライドできるように係合され、前記切換ロッドの上側右端と前記封鎖板の左端とが当接し、前記切換ロッドの下側が前記動力空間の中まで伸びており、前記動力空間の中には前記動力空間の底壁に固定的に接続される傾斜ブロック固定板が設置され、前記傾斜ブロック固定板の右端面には上傾斜ブロックスライド溝が設置され、前記上傾斜ブロックスライド溝の中には上傾斜ブロックスライドブロックが設置され、前記上傾斜ブロックスライドブロックの右端には上傾斜ブロックが固定的に設置され、前記動力空間の中には前記切換ロッドに固定的に接続される下傾斜ブロックが設置され、前記下傾斜ブロックと前記上傾斜ブロックとが当接し、前記上傾斜ブロックの上端面には切換軸が固定的に設置され、前記切換軸の上端には前記上主動傘歯車と噛み合う両面切換傘歯車が回転できるように設置され、前記両面切換傘歯車の上端面には前記カム伝動軸と係合されるスプライン軸が固定的に設置される。
【００１３】
優先的には、前記画板装置は前記メインテーブルの中に設置され、且つ前記画板収納空間の下側に位置する伝動空間を含み、前記伝動空間の右壁には右端が前記動力空間の中まで伸びている方向切換傘歯車軸が回転できるように設置され、前記動力空間の中には前記方向切換傘歯車軸の右端に固定的に接続される方向切換傘歯車が設置され、前記伝動空間の中には前記方向切換傘歯車軸の左端に固定的に接続されるサブ係合プーリが設置され、前記伝動空間の右壁には右端が前記リール空間の中まで伸びている封鎖板収納伝動軸が回転できるように設置され、前記封鎖板収納伝動軸の左右両端には中間歯車が対称になるように固定的に設置され、右側にある前記中間歯車と前記リール伝動歯車とが噛み合う。
【００１４】
前記画板収納空間の底壁にはガイドスライド溝が設けられ、前記ガイドスライド溝の左壁には右端が前記伝動空間の中まで伸びている親ねじが回転できるように設置され、前記伝動空間の中には前記親ねじの右端に固定的に接続され、且つ左側にある前記中間歯車と噛み合う画板伝動歯車が設置され、前記伝動空間において前記親ねじにはメイン係合プーリが固定的に設置され、前記メイン係合プーリと前記サブ係合プーリとがベルトにより接続される。
【００１５】
前記ガイドスライド溝にはねじ山ガイドブロックがスライドできるように設置され、前記ねじ山ガイドブロックが前記親ねじとねじ山によって接続され、前記ねじ山ガイドブロックの前端面には画板  ヒンジレバーがヒンジで繋がれ、前記画板収納空間の後壁には前記画板軸が回転できるように設置され、前記画板ヒンジレバーの左上端と前記画板の下端面とがヒンジで繋がれる。
【００１６】
また、前記ストック装置が前記メインテーブルの右端に設置されるストック箱を含む。
【発明の効果】
【００１７】
以上により、本装置は構成が簡単で、使用しやすくて、画板を使用しない場合には装置の中に収納し、この時装置の上表面は欠けるところがないテーブルの表面であり、普通なテーブルとして使われることができ、装置を利用する効率を大いに高め、多くの空間を節約し、画板を使用しようとする時に、画板が自動的に伸び出し、人的な操作が必要なく、使用完了の後にまた自動的に収納し、整理にかかる時間を大いに短縮し、仕事の効率を高める。
【図面の簡単な説明】
【００１８】
発明の実施例または既存の技術の中の技術方案をより詳しく説明できるため、下記には実施例または既存の技術を説明することに必要な付図に対して簡単に紹介し、明らかなように、下記に記載の付図はただ発明の一部分の実施例であり、当業者にとって、創造的な労働を払わなくても、これらの付図に基づいて他の付図を獲得することができる。
【００１９】
【図１】図１は本発明の収納可能な画板の総体構造概略図である。
【図２】図２は図１のＡのところの概略図である。
【図３】図３は図２のＢ−Ｂのところの概略図である。
【発明を実施するための形態】
【００２０】
相互排斥する特徴またはステップを除き、本説明書に公開したすべての特徴、若しくは公開したすべての方法または過程中のステップはいずれもあらゆる方式で組み合わせることができる。
【００２１】
本説明書（すべての特許請求の範囲と、要約書と付図を含む）に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２２】
図１−３の示しているように、本発明装置は収納可能な画板であり、メインテーブル１０と、前記メインテーブル１０の中に設置される画板収納空間１１を含み、前記メインテーブル１０の下端面にはサポートロッド５５が左右対称になるように固定的に設置され、前記画板収納空間１１が上方に開口しており、前記画板収納空間１１の中には封鎖装置が設置され、前記封鎖装置の中には前記画板収納空間１１を封鎖できる封鎖板１４が設置され、前記画板収納空間１１の中には画板装置が設置され、前記画板装置は画板軸１６に連結された画板１５を含み、前記メインテーブル１０の中には封鎖板収納装置が設置され、
前記封鎖板収納装置の中には前記封鎖板１４を収納できる封鎖板収納空間２１が設置され、前記メインテーブル１０の中には動力空間３４が設置され、前記動力空間３４の中には動力装置が設置され、前記画板収納空間１１の中には切換装置が設置され、前記切換装置と前記封鎖装置とが係合される。
【００２３】
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラック４４により係合され、前記封鎖板収納装置と前記画板装置とが前記切換装置と、前記動力装置により係合され。
【００２４】
また、前記メインテーブル１０の中にはストック装置が設置される。
【００２５】
有益なように、前記動力装置が前記動力空間３４の右壁に固定的に設置される正逆回転モーター２８を含み、前記正逆回転モーター２８の左端には動力軸２９が伝動できるように接続され、前記動力軸２９には同調下プーリー３０が固定的に設置され、前記動力軸２９の左端には下主動傘歯車３１が固定的に設置され、前記動力空間３４の右壁には主動軸６５が回転できるように設置され、前記主動軸６５には前記同調下プーリー３０と係合される同調上プーリー６４が固定的に設置され、前記主動軸６５の左端には上主動傘歯車６３が固定的に設置される。
【００２６】
有益なように、前記封鎖板収納装置は前記メインテーブル１０の中に設置され、且つ、前記画板収納空間１１の右側に位置するリール空間５１を含み、前記リール空間５１の右壁には収納箱スライド溝２４が設置され、前記収納箱スライド溝２４の中には収納箱スライドブロック５０がスライドできるように設置され、前記収納箱スライドブロック５０の左端には収納箱２０が固定的に設置され、前記収納箱２０の左端が前記画板収納空間１１の中まで伸びており、前記収納箱２０の中には封鎖板戻しばね空間１９が設置され、前記収納箱２０の中には前記封鎖板戻しばね空間１９の下側に位置し、且つ、前記封鎖板戻しばね空間１９を連通する封鎖板収納空間２１が設置され、前記封鎖板戻しばね空間１９の中には封鎖板収納板１８がスライドできるように設置され、前記封鎖板収納板１８の下端が前記封鎖板収納空間２１の中まで伸びており、前記封鎖板収納板１８の左端面には永久磁石１７が固定的に設置され、前記封鎖板収納板１８の右端面と前記封鎖板戻しばね空間１９の右壁との間が封鎖板収納ばね２２により固定的に接続され、前記リール空間５１の右壁にはリール軸５３が回転できるように設置され、前記リール軸５３にはリール５２が固定的に設置され、前記リール５２には引き線８０が周設され、前記引き線８０は前記収納箱２０の中に回転できるように設置される糸巻き輪２３により導かれてから前記封鎖板収納空間２１の中まで伸びており、前記引き線８０の左端が前記封鎖板収納板１８の右端面に固定的に接続され、前記リール軸５３の左端にはリール伝動歯車２７が固定的に設置される。
【００２７】
前記画板収納空間１１の底壁にはカム伝動軸７１が回転できるように設けられ、前記カム伝動軸７１が下へ前記動力空間３４の中まで伸びており、前記カム伝動軸７１の下端面にはスプライン穴が設置され、前記画板収納空間１１の中には前記カム伝動軸７１の上端に固定的に接続される軌跡縦カム６９が設置され、前記軌跡縦カム６９の中には軌跡空間７４が設置され、前記軌跡空間７４の内壁にはカム軌跡が設置され、前記収納箱２０の下端面には軌跡係合ロッド６８が固定的に設置され、前記軌跡係合ロッド６８の下端が前記軌跡空間７４の内壁の中にあるカム軌跡と当接し、前記軌跡縦カム６９の外周面にはカム戻し歯車７０が固定的に設置され、前記画板収納空間１１の後壁には右へ前記リール空間５１の中まで伸びているラック板スライド溝２５が設置され、前記ラック板スライド溝２５の中にはラックスライドロッド７３がスライドできるように設置され、前記ラックスライドロッド７３の右端面と前記ラック板スライド溝２５の右壁との間が押圧ばね２６により固定的に接続され、前記ラックスライドロッド７３の前端には前記カム戻し歯車７０と噛み合う前記ラック４４が固定的に設置され、前記ラック４４の前端面には係合凸起ブロック４８が固定的に設置される。
【００２８】
有益なように、前記封鎖装置は前記画板収納空間１１の頂壁の中に設置される切換ロッド押出空間１３を含み、前記切換ロッド押出空間１３の左壁には戻し電気磁石１２が固定的に設置され、前記切換ロッド押出空間１３の中には右へ伸びており、且つ右端が前記収納箱２０の左端面と当接する前記封鎖板１４がスライドできるように設置される。
【００２９】
有益なように、前記切換装置が前記画板収納空間１１の左壁の中に設置される力蓄積空間５８を含み、前記力蓄積空間５８の中には押出ブロック６０がスライドできるように設置され、前記押出ブロック６０の左端面と前記力蓄積空間５８の左壁との間が力蓄積ばね５９により固定的に接続され、前記押出ブロック６０の右端面には上側が前記切換ロッド押出空間１３の中まで伸びている切換ロッド５７が固定的に設置され、前記切換ロッド５７と前記切換ロッド押出空間１３の左壁とがスライドできるように係合され、前記切換ロッド５７の上側右端と前記封鎖板１４の左端とが当接し、前記切換ロッド５７の下側が前記動力空間３４の中まで伸びており、前記動力空間３４の中には前記動力空間３４の底壁に固定的に接続される傾斜ブロック固定板３５が設置され、前記傾斜ブロック固定板３５の右端面には上傾斜ブロックスライド溝３６が設置され、前記上傾斜ブロックスライド溝３６の中には上傾斜ブロックスライドブロック３７が設置され、前記上傾斜ブロックスライドブロック３７の右端には上傾斜ブロック３３が固定的に設置され、前記動力空間３４の中には前記切換ロッド５７に固定的に接続される下傾斜ブロック３２が設置され、前記下傾斜ブロック３２と前記上傾斜ブロック３３とが当接し、前記上傾斜ブロック３３の上端面には切換軸６１が固定的に設置され、前記切換軸６１の上端には前記上主動傘歯車６３と噛み合う両面切換傘歯車７２が回転できるように設置され、前記両面切換傘歯車７２の上端面には前記カム伝動軸７１と係合されるスプライン軸６２が固定的に設置される。
【００３０】
有益なように、前記画板装置は前記メインテーブル１０の中に設置され、且つ前記画板収納空間１１の下側に位置する伝動空間５６を含み、前記伝動空間５６の右壁には右端が前記動力空間３４の中まで伸びている方向切換傘歯車軸３９が回転できるように設置され、前記動力空間３４の中には前記方向切換傘歯車軸３９の右端に固定的に接続される方向切換傘歯車３８が設置され、前記伝動空間５６の中には前記方向切換傘歯車軸３９の左端に固定的に接続されるサブ係合プーリ４２が設置され、前記伝動空間５６の右壁には右端が前記リール空間５１の中まで伸びている封鎖板収納伝動軸４０が回転できるように設置され、前記封鎖板収納伝動軸４０の左右両端には中間歯車４１が対称になるように固定的に設置され、右側にある前記中間歯車４１と前記リール伝動歯車２７とが噛み合う。
【００３１】
前記画板収納空間１１の底壁にはガイドスライド溝４７が設けられ、前記ガイドスライド溝４７の左壁には右端が前記伝動空間５６の中まで伸びている親ねじ４９が回転できるように設置され、前記伝動空間５６の中には前記親ねじ４９の右端に固定的に接続され、且つ左側にある前記中間歯車４１と噛み合う画板伝動歯車７５が設置され、前記伝動空間５６において前記親ねじ４９にはメイン係合プーリ４３が固定的に設置され、前記メイン係合プーリ４３と前記サブ係合プーリ４２とがベルトにより接続される。
【００３２】
前記ガイドスライド溝４７にはねじ山ガイドブロック４５がスライドできるように設置され、前記ねじ山ガイドブロック４５が前記親ねじ４９とねじ山によって接続され、前記ねじ山ガイドブロック４５の前端面には画板  ヒンジレバー４６がヒンジで繋がれ、前記画板収納空間１１の後壁には前記画板軸１６が回転できるように設置され、前記画板ヒンジレバー４６の左上端と前記画板１５の下端面とがヒンジで繋がれる。
【００３３】
また、前記ストック装置が前記メインテーブル１０の右端に設置されるストック箱５４を含む。
【００３４】
下記には、出願人は付図１−３と、上記の記載を参考して具体的に本出願の収納可能な画板を紹介する：
【００３５】
初期状態にある時、前記スプライン軸６２と前記カム伝動軸７１とが係合され、前記両面切換傘歯車７２と前記上主動傘歯車６３とが噛み合い、前記力蓄積ばね５９が圧縮状態にあり、前記収納箱２０が差出していない状態である。
【００３６】
画板を使用する時、正逆回転モーター２８の起動が前記動力軸２９を連動させて回転させ、前記動力軸２９が前記同調下プーリー３０と、前記同調上プーリー６４により前記主動軸６５を連動させて回転させ、前記主動軸６５が前記上主動傘歯車６３を連動させて回転させ、前記動力軸２９が前記下主動傘歯車３１を連動させて回転させ、前記上主動傘歯車６３が前記両面切換傘歯車７２を連動させて回転させ、前記両面切換傘歯車７２が前記スプライン軸６２により前記カム伝動軸７１を連動させて回転させ、前記カム伝動軸７１が前記軌跡縦カム６９を連動させて回転させ、前記軌跡係合ロッド６８を上昇させ、前記軌跡係合ロッド６８が上昇し、これにより前記封鎖板収納空間２１と前記封鎖板１４とが同じレベルの位置するようになり、前記永久磁石１７が前記封鎖板１４を右へ引きつけて前記封鎖板１４と前記封鎖板収納板１８とを密着させ、前記切換ロッド５７が前記力蓄積ばね５９の作用により右へ運動し、前記切換ロッド５７が前記下傾斜ブロック３２を連動させて右へ運動させ、前記上傾斜ブロック３３を下がらせ、前記上傾斜ブロック３３が前記切換軸６１を連動させて下がらせて前記両面切換傘歯車７２と前記上主動傘歯車６３とを噛み合う状態から離脱させ、前記スプライン軸６２と前記カム伝動軸７１とを係合される状態から離脱させ、前記両面切換傘歯車７２を前記下主動傘歯車３１と、前記方向切換傘歯車３８と噛み合わせ、前記下主動傘歯車３１が前記両面切換傘歯車７２により前記方向切換傘歯車３８を連動させて回転させ、前記方向切換傘歯車３８が前記サブ係合プーリ４２と、前記メイン係合プーリ４３により前記親ねじ４９を連動させて回転させ、前記親ねじ４９が前記画板伝動歯車７５と、前記中間歯車４１と、前記封鎖板収納伝動軸４０により前記リール伝動歯車２７を連動させて回転させ、前記リール伝動歯車２７が前記リール軸５３を連動させて回転させ、前記リール軸５３が糸を巻き始め、前記引き線８０により前記封鎖板１４を右へ引き動かして前記封鎖板収納空間２１の中に収納し、その同時前記封鎖板収納ばね２２を圧縮し、前記親ねじ４９が回転することにより前記ねじ山ガイドブロック４５を左へ運動させ、前記ねじ山ガイドブロック４５の左への運動が前記画板ヒンジレバー４６により前記画板１５を上昇させて、前記ねじ山ガイドブロック４５が右へ運動する過程中、前記係合凸起ブロック４８を右へ押圧して、前記収納箱２０を下がらせて元の位置に戻らせる。
【００３７】
元の位置に戻る時、前記正逆回転モーター２８の反転により前記画板装置を元の位置に戻らせ、前記係合凸起ブロック４８が前記押圧ばね２６の作用により元の位置に戻り、これにより前記収納箱２０を上昇させ、前記リール５２の反転により前記封鎖板収納板１８が前記封鎖板収納ばね２２の作用により前記封鎖板１４を押し出し、完全に押し出した後、
前記戻し電気磁石１２を起動させ、前記封鎖板１４を元の位置に戻らせ、前記封鎖板１４が元の位置に戻った後、前記切換装置を元の位置に戻らせ、前記両面切換傘歯車７２が前記上主動傘歯車６３と再び噛み合い、前記スプライン軸６２と前記カム伝動軸７１とが係合され、元の位置に戻る。
【００３８】
上記のように、本装置は構成が簡単で、使用しやすくて、画板を使用しない場合には装置の中に収納し、この時装置の上表面は欠けるところがないテーブルの表面であり、普通のテーブルとして使われることができ、装置を利用する効率を大いに高め、多くの空間を節約し、画板を使用しようとする時に、画板が自動的に伸び出し、人的な操作が必要でなく、使用完了の後にまた自動的に収納し、整理にかかる時間を大いに短縮し、仕事の効率を高める。
【００３９】
上記の記載はただ本発明における具体的な実施方式であり、但し本発明の保護範囲はこれに限定されるものではなく、創造的な労働を通じなく想到されるあらゆる変化と立ち代わりは本発明の保護範囲の中にカバーすべきであり、そのために、本発明の保護範囲は特許請求の範囲に限定された保護範囲に準じるべきである。
【手続補正書】
【提出日】令和2年6月24日(2020.6.24)
【手続補正１】
【補正対象書類名】特許請求の範囲
【補正対象項目名】請求項３
【補正方法】変更
【補正の内容】
【請求項３】
前記封鎖装置は前記画板収納空間の頂壁の中に設置される切換ロッド押出空間を含み、前記切換ロッド押出空間の左壁には戻し電気磁石が固定的に設置され、前記切換ロッド押出空間の中には切換ロッドがスライドできるように設置され、且つ前記切換ロッドの右端には封鎖板が設置され、前記封鎖板は右方へ延在し、且つ前記封鎖板の右端は前記収納箱の左面と当接しており、
また、前記切換装置が前記画板収納空間の左壁の中に設置される力蓄積空間を含み、前記力蓄積空間の中には押出ブロックがスライドできるように設置され、前記押出ブロックの左端面と前記力蓄積空間の左壁との間が力蓄積ばねにより固定的に接続され、前記押出ブロックの右端面には上側が前記切換ロッド押出空間の中まで伸びている切換ロッドが固定的に設置され、前記切換ロッドと前記切換ロッド押出空間の左壁とがスライドできるように係合され、前記切換ロッドの上側右端と前記封鎖板の左端とが当接し、前記切換ロッドの下側が前記動力空間の中まで伸びており、前記動力空間の中には前記動力空間の底壁に固定的に接続される傾斜ブロック固定板が設置され、前記傾斜ブロック固定板の右端面には上傾斜ブロックスライド溝が設置され、前記上傾斜ブロックスライド溝の中には上傾斜ブロックスライドブロックが設置され、前記上傾斜ブロックスライドブロックの右端には上傾斜ブロックが固定的に設置され、前記動力空間の中には前記切換ロッドに固定的に接続される下傾斜ブロックが設置され、前記下傾斜ブロックと前記上傾斜ブロックとが当接し、前記上傾斜ブロックの上端面には切換軸が固定的に設置され、前記切換軸の上端には前記上主動傘歯車と噛み合う両面切換傘歯車が回転できるように設置され、前記両面切換傘歯車の上端面には前記カム伝動軸と係合されるスプライン軸が固定的に設置されることを特徴とする請求項２に記載の収納可能な画板。
【手続補正２】
【補正対象書類名】明細書
【補正対象項目名】全文
【補正方法】変更
【補正の内容】
【発明の詳細な説明】
【技術分野】
【０００１】
本発明は機械技術分野に関わり、具体的には収納可能な画板である。
【背景技術】
【０００２】
仕事上と生活上には画板の使用を需要とすることがよくある。多数の画板は木製で、手触りが軽くて、滑らかであり、特に手で製図することを必要とする時、画板の体積が大きくて、使用中の調整とサポートが煩雑で、使用した後の収納が多くの労力をかかり、且つ、スペースを占用し過ぎて、より大きな短所があり、改善が必要である。
【先行技術文献】
【特許文献】
【０００３】
【特許文献１】中国特許出願公開第１０６７２４３４２号明細書
【発明の概要】
【発明が解決しようとする課題】
【０００４】
上記技術の不足に対して、本発明は収納可能な画板を開示した。
【課題を解決するための手段】
【０００５】
本発明は収納可能な画板であり、メインテーブルと、前記メインテーブルの中に設置される画板収納空間を含み、その特徴は：前記メインテーブルの下端面にはサポートロッドが左右対称になるように固定的に設置され、前記画板収納空間が上方に開口しており、前記画板収納空間の中には封鎖装置が設置され、前記封鎖装置の中には前記画板収納空間を封鎖できる封鎖板が設置され、前記画板収納空間の中には画板装置が設置され、前記画板装置は画板軸に連結された画板を含み、前記メインテーブルの中には封鎖板収納装置が設置され、前記封鎖板収納装置の中には前記封鎖板を収納できる封鎖板収納空間が設置され、前記メインテーブルの中には動力空間が設置され、前記動力空間の中には動力装置が設置され、前記画板収納空間の中には切換装置が設置され、前記切換装置と前記封鎖装置とが係合される。
【０００６】
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラックにより係合され、前記封鎖板収納装置と前記画板装置とが前記切換装置と、前記動力装置により係合され。
【０００７】
また、前記メインテーブルの中にはストック装置が設置される。
【０００８】
優先的には、前記動力装置が前記動力空間の右壁に固定的に設置される正逆回転モーターを含み、前記正逆回転モーターの左端には動力軸が伝動できるように接続され、前記動力軸には同調下プーリーが固定的に設置され、前記動力軸の左端には下主動傘歯車が固定的に設置され、前記動力空間の右壁には主動軸が回転できるように設置され、前記主動軸には前記同調下プーリーと係合される同調上プーリーが固定的に設置され、前記主動軸の左端には上主動傘歯車が固定的に設置される。
【０００９】
また、前記封鎖板収納装置は前記メインテーブルの中に設置され、且つ、前記画板収納空間の右側に位置するリール空間を含み、前記リール空間の右壁には収納箱スライド溝が設置され、前記収納箱スライド溝の中には収納箱スライドブロックがスライドできるように設置され、前記収納箱スライドブロックの左端には収納箱が固定的に設置され、前記収納箱の左端が前記画板収納空間の中まで伸びており、前記収納箱の中には封鎖板戻しばね空間が設置され、前記収納箱の中には前記封鎖板戻しばね空間の下側に位置し、且つ、前記封鎖板戻しばね空間を連通する封鎖板収納空間が設置され、前記封鎖板戻しばね空間の中には封鎖板収納板がスライドできるように設置され、前記封鎖板収納板の下端が前記封鎖板収納空間の中まで伸びており、前記封鎖板収納板の左端面には永久磁石が固定的に設置され、前記封鎖板収納板の右端面と前記封鎖板戻しばね空間の右壁との間が封鎖板収納ばねにより固定的に接続され、前記リール空間の右壁にはリール軸が回転できるように設置され、前記リール軸にはリールが固定的に設置され、前記リールには引き線が周設され、
前記引き線は前記収納箱の中に回転できるように設置される糸巻き輪により導かれてから前記封鎖板収納空間の中まで伸びており、前記引き線の左端が前記封鎖板収納板の右端面に固定的に接続され、前記リール軸の左端にはリール伝動歯車が固定的に設置される。
【００１０】
前記画板収納空間の底壁にはカム伝動軸が回転できるように設けられ、前記カム伝動軸が下へ前記動力空間の中まで伸びており、前記カム伝動軸の下端面にはスプライン穴が設置され、前記画板収納空間の中には前記カム伝動軸の上端に固定的に接続される軌跡縦カムが設置され、前記軌跡縦カムの中には軌跡空間が設置され、前記軌跡空間の内壁にはカム軌跡が設置され、前記収納箱の下端面には軌跡係合ロッドが固定的に設置され、
前記軌跡係合ロッドの下端が前記軌跡空間の内壁の中にあるカム軌跡と当接し、前記軌跡縦カムの外周面にはカム戻し歯車が固定的に設置され、前記画板収納空間の後壁には右へ前記リール空間の中まで伸びているラック板スライド溝が設置され、前記ラック板スライド溝の中にはラックスライドロッドがスライドできるように設置され、前記ラックスライドロッドの右端面と前記ラック板スライド溝の右壁との間が押圧ばねにより固定的に接続され、前記ラックスライドロッドの前端には前記カム戻し歯車と噛み合う前記ラックが固定的に設置され、前記ラックの前端面には係合凸起ブロックが固定的に設置される。
【００１１】
優先的には、前記封鎖装置は前記画板収納空間の頂壁の中に設置される切換ロッド押出空間を含み、前記切換ロッド押出空間の左壁には戻し電気磁石が固定的に設置され、前記切換ロッド押出空間の中には切換ロッドがスライドできるように設置され、且つ前記切換ロッドの右端には封鎖板が設置され、前記封鎖板は右方へ延在し、且つ前記封鎖板の右端は前記収納箱の左面と当接している。
【００１２】
また、前記切換装置が前記画板収納空間の左壁の中に設置される力蓄積空間を含み、前記力蓄積空間の中には押出ブロックがスライドできるように設置され、前記押出ブロックの左端面と前記力蓄積空間の左壁との間が力蓄積ばねにより固定的に接続され、前記押出ブロックの右端面には上側が前記切換ロッド押出空間の中まで伸びている切換ロッドが固定的に設置され、前記切換ロッドと前記切換ロッド押出空間の左壁とがスライドできるように係合され、前記切換ロッドの上側右端と前記封鎖板の左端とが当接し、前記切換ロッドの下側が前記動力空間の中まで伸びており、前記動力空間の中には前記動力空間の底壁に固定的に接続される傾斜ブロック固定板が設置され、前記傾斜ブロック固定板の右端面には上傾斜ブロックスライド溝が設置され、前記上傾斜ブロックスライド溝の中には上傾斜ブロックスライドブロックが設置され、前記上傾斜ブロックスライドブロックの右端には上傾斜ブロックが固定的に設置され、前記動力空間の中には前記切換ロッドに固定的に接続される下傾斜ブロックが設置され、前記下傾斜ブロックと前記上傾斜ブロックとが当接し、前記上傾斜ブロックの上端面には切換軸が固定的に設置され、前記切換軸の上端には前記上主動傘歯車と噛み合う両面切換傘歯車が回転できるように設置され、前記両面切換傘歯車の上端面には前記カム伝動軸と係合されるスプライン軸が固定的に設置される。
【００１３】
優先的には、前記画板装置は前記メインテーブルの中に設置され、且つ前記画板収納空間の下側に位置する伝動空間を含み、前記伝動空間の右壁には右端が前記動力空間の中まで伸びている方向切換傘歯車軸が回転できるように設置され、前記動力空間の中には前記方向切換傘歯車軸の右端に固定的に接続される方向切換傘歯車が設置され、前記伝動空間の中には前記方向切換傘歯車軸の左端に固定的に接続されるサブ係合プーリが設置され、前記伝動空間の右壁には右端が前記リール空間の中まで伸びている封鎖板収納伝動軸が回転できるように設置され、前記封鎖板収納伝動軸の左右両端には中間歯車が対称になるように固定的に設置され、右側にある前記中間歯車と前記リール伝動歯車とが噛み合う。
【００１４】
前記画板収納空間の底壁にはガイドスライド溝が設けられ、前記ガイドスライド溝の左壁には右端が前記伝動空間の中まで伸びている親ねじが回転できるように設置され、前記伝動空間の中には前記親ねじの右端に固定的に接続され、且つ左側にある前記中間歯車と噛み合う画板伝動歯車が設置され、前記伝動空間において前記親ねじにはメイン係合プーリが固定的に設置され、前記メイン係合プーリと前記サブ係合プーリとがベルトにより接続される。
【００１５】
前記ガイドスライド溝にはねじ山ガイドブロックがスライドできるように設置され、前記ねじ山ガイドブロックが前記親ねじとねじ山によって接続され、前記ねじ山ガイドブロックの前端面には画板  ヒンジレバーがヒンジで繋がれ、前記画板収納空間の後壁には前記画板軸が回転できるように設置され、前記画板ヒンジレバーの左上端と前記画板の下端面とがヒンジで繋がれる。
【００１６】
また、前記ストック装置が前記メインテーブルの右端に設置されるストック箱を含む。
【発明の効果】
【００１７】
以上により、本装置は構成が簡単で、使用しやすくて、画板を使用しない場合には装置の中に収納し、この時装置の上表面は欠けるところがないテーブルの表面であり、普通なテーブルとして使われることができ、装置を利用する効率を大いに高め、多くの空間を節約し、画板を使用しようとする時に、画板が自動的に伸び出し、人的な操作が必要なく、使用完了の後にまた自動的に収納し、整理にかかる時間を大いに短縮し、仕事の効率を高める。
【図面の簡単な説明】
【００１８】
発明の実施例または既存の技術の中の技術方案をより詳しく説明できるため、下記には実施例または既存の技術を説明することに必要な付図に対して簡単に紹介し、明らかなように、下記に記載の付図はただ発明の一部分の実施例であり、当業者にとって、創造的な労働を払わなくても、これらの付図に基づいて他の付図を獲得することができる。
【００１９】
【図１】図１は本発明の収納可能な画板の総体構造概略図である。
【図２】図２は図１のＡのところの概略図である。
【図３】図３は図２のＢ−Ｂのところの概略図である。
【発明を実施するための形態】
【００２０】
相互排斥する特徴またはステップを除き、本説明書に公開したすべての特徴、若しくは公開したすべての方法または過程中のステップはいずれもあらゆる方式で組み合わせることができる。
【００２１】
本説明書（すべての特許請求の範囲と、要約書と付図を含む）に公開したすべての特徴は、特別な説明を除き、いずれも他の同等または類似の目的がある代わり特徴に代われることができ、即ち、特別な説明を除き、全ての特徴はただ一連の同等のまたは類似の特徴の中の一例である。
【００２２】
図１−３の示しているように、本発明装置は収納可能な画板であり、メインテーブル１０と、前記メインテーブル１０の中に設置される画板収納空間１１を含み、前記メインテーブル１０の下端面にはサポートロッド５５が左右対称になるように固定的に設置され、前記画板収納空間１１が上方に開口しており、前記画板収納空間１１の中には封鎖装置が設置され、前記封鎖装置の中には前記画板収納空間１１を封鎖できる封鎖板１４が設置され、前記画板収納空間１１の中には画板装置が設置され、前記画板装置は画板軸１６に連結された画板１５を含み、前記メインテーブル１０の中には封鎖板収納装置が設置され、
前記封鎖板収納装置の中には前記封鎖板１４を収納できる封鎖板収納空間２１が設置され、前記メインテーブル１０の中には動力空間３４が設置され、前記動力空間３４の中には動力装置が設置され、前記画板収納空間１１の中には切換装置が設置され、前記切換装置と前記封鎖装置とが係合される。
【００２３】
また、前記切換装置と前記動力装置とが係合され、前記画板装置と前記封鎖板収納装置との間が伝動できるように係合接続され、前記画板装置と前記封鎖板収納装置との間がまた前記画板装置の中に設置されるラック４４により係合され、前記封鎖板収納装置と前記画板装置とが前記切換装置と、前記動力装置により係合され。
【００２４】
また、前記メインテーブル１０の中にはストック装置が設置される。
【００２５】
有益なように、前記動力装置が前記動力空間３４の右壁に固定的に設置される正逆回転モーター２８を含み、前記正逆回転モーター２８の左端には動力軸２９が伝動できるように接続され、前記動力軸２９には同調下プーリー３０が固定的に設置され、前記動力軸２９の左端には下主動傘歯車３１が固定的に設置され、前記動力空間３４の右壁には主動軸６５が回転できるように設置され、前記主動軸６５には前記同調下プーリー３０と係合される同調上プーリー６４が固定的に設置され、前記主動軸６５の左端には上主動傘歯車６３が固定的に設置される。
【００２６】
有益なように、前記封鎖板収納装置は前記メインテーブル１０の中に設置され、且つ、前記画板収納空間１１の右側に位置するリール空間５１を含み、前記リール空間５１の右壁には収納箱スライド溝２４が設置され、前記収納箱スライド溝２４の中には収納箱スライドブロック５０がスライドできるように設置され、前記収納箱スライドブロック５０の左端には収納箱２０が固定的に設置され、前記収納箱２０の左端が前記画板収納空間１１の中まで伸びており、前記収納箱２０の中には封鎖板戻しばね空間１９が設置され、前記収納箱２０の中には前記封鎖板戻しばね空間１９の下側に位置し、且つ、前記封鎖板戻しばね空間１９を連通する封鎖板収納空間２１が設置され、前記封鎖板戻しばね空間１９の中には封鎖板収納板１８がスライドできるように設置され、前記封鎖板収納板１８の下端が前記封鎖板収納空間２１の中まで伸びており、前記封鎖板収納板１８の左端面には永久磁石１７が固定的に設置され、前記封鎖板収納板１８の右端面と前記封鎖板戻しばね空間１９の右壁との間が封鎖板収納ばね２２により固定的に接続され、前記リール空間５１の右壁にはリール軸５３が回転できるように設置され、前記リール軸５３にはリール５２が固定的に設置され、前記リール５２には引き線８０が周設され、前記引き線８０は前記収納箱２０の中に回転できるように設置される糸巻き輪２３により導かれてから前記封鎖板収納空間２１の中まで伸びており、前記引き線８０の左端が前記封鎖板収納板１８の右端面に固定的に接続され、前記リール軸５３の左端にはリール伝動歯車２７が固定的に設置される。
【００２７】
前記画板収納空間１１の底壁にはカム伝動軸７１が回転できるように設けられ、前記カム伝動軸７１が下へ前記動力空間３４の中まで伸びており、前記カム伝動軸７１の下端面にはスプライン穴が設置され、前記画板収納空間１１の中には前記カム伝動軸７１の上端に固定的に接続される軌跡縦カム６９が設置され、前記軌跡縦カム６９の中には軌跡空間７４が設置され、前記軌跡空間７４の内壁にはカム軌跡が設置され、前記収納箱２０の下端面には軌跡係合ロッド６８が固定的に設置され、前記軌跡係合ロッド６８の下端が前記軌跡空間７４の内壁の中にあるカム軌跡と当接し、前記軌跡縦カム６９の外周面にはカム戻し歯車７０が固定的に設置され、前記画板収納空間１１の後壁には右へ前記リール空間５１の中まで伸びているラック板スライド溝２５が設置され、前記ラック板スライド溝２５の中にはラックスライドロッド７３がスライドできるように設置され、前記ラックスライドロッド７３の右端面と前記ラック板スライド溝２５の右壁との間が押圧ばね２６により固定的に接続され、前記ラックスライドロッド７３の前端には前記カム戻し歯車７０と噛み合う前記ラック４４が固定的に設置され、前記ラック４４の前端面には係合凸起ブロック４８が固定的に設置される。
【００２８】
有益なように、前記封鎖装置は前記画板収納空間１１の頂壁の中に設置される切換ロッド押出空間１３を含み、前記切換ロッド押出空間１３の左壁には戻し電気磁石１２が固定的に設置され、前記切換ロッド押出空間１３の中には切換ロッド５７がスライドできるように設置され、且つ前記切換ロッド５７の右端には封鎖板１４が設置され、前記封鎖板１４は右方へ延在し、且つ前記封鎖板１４の右端は前記収納箱２０の左面と当接する。
【００２９】
有益なように、前記切換装置が前記画板収納空間１１の左壁の中に設置される力蓄積空間５８を含み、前記力蓄積空間５８の中には押出ブロック６０がスライドできるように設置され、前記押出ブロック６０の左端面と前記力蓄積空間５８の左壁との間が力蓄積ばね５９により固定的に接続され、前記押出ブロック６０の右端面には上側が前記切換ロッド押出空間１３の中まで伸びている切換ロッド５７が固定的に設置され、前記切換ロッド５７と前記切換ロッド押出空間１３の左壁とがスライドできるように係合され、前記切換ロッド５７の上側右端と前記封鎖板１４の左端とが当接し、前記切換ロッド５７の下側が前記動力空間３４の中まで伸びており、前記動力空間３４の中には前記動力空間３４の底壁に固定的に接続される傾斜ブロック固定板３５が設置され、前記傾斜ブロック固定板３５の右端面には上傾斜ブロックスライド溝３６が設置され、前記上傾斜ブロックスライド溝３６の中には上傾斜ブロックスライドブロック３７が設置され、前記上傾斜ブロックスライドブロック３７の右端には上傾斜ブロック３３が固定的に設置され、前記動力空間３４の中には前記切換ロッド５７に固定的に接続される下傾斜ブロック３２が設置され、前記下傾斜ブロック３２と前記上傾斜ブロック３３とが当接し、前記上傾斜ブロック３３の上端面には切換軸６１が固定的に設置され、前記切換軸６１の上端には前記上主動傘歯車６３と噛み合う両面切換傘歯車７２が回転できるように設置され、前記両面切換傘歯車７２の上端面には前記カム伝動軸７１と係合されるスプライン軸６２が固定的に設置される。
【００３０】
有益なように、前記画板装置は前記メインテーブル１０の中に設置され、且つ前記画板収納空間１１の下側に位置する伝動空間５６を含み、前記伝動空間５６の右壁には右端が前記動力空間３４の中まで伸びている方向切換傘歯車軸３９が回転できるように設置され、前記動力空間３４の中には前記方向切換傘歯車軸３９の右端に固定的に接続される方向切換傘歯車３８が設置され、前記伝動空間５６の中には前記方向切換傘歯車軸３９の左端に固定的に接続されるサブ係合プーリ４２が設置され、前記伝動空間５６の右壁には右端が前記リール空間５１の中まで伸びている封鎖板収納伝動軸４０が回転できるように設置され、前記封鎖板収納伝動軸４０の左右両端には中間歯車４１が対称になるように固定的に設置され、右側にある前記中間歯車４１と前記リール伝動歯車２７とが噛み合う。
【００３１】
前記画板収納空間１１の底壁にはガイドスライド溝４７が設けられ、前記ガイドスライド溝４７の左壁には右端が前記伝動空間５６の中まで伸びている親ねじ４９が回転できるように設置され、前記伝動空間５６の中には前記親ねじ４９の右端に固定的に接続され、且つ左側にある前記中間歯車４１と噛み合う画板伝動歯車７５が設置され、前記伝動空間５６において前記親ねじ４９にはメイン係合プーリ４３が固定的に設置され、前記メイン係合プーリ４３と前記サブ係合プーリ４２とがベルトにより接続される。
【００３２】
前記ガイドスライド溝４７にはねじ山ガイドブロック４５がスライドできるように設置され、前記ねじ山ガイドブロック４５が前記親ねじ４９とねじ山によって接続され、前記ねじ山ガイドブロック４５の前端面には画板  ヒンジレバー４６がヒンジで繋がれ、前記画板収納空間１１の後壁には前記画板軸１６が回転できるように設置され、前記画板ヒンジレバー４６の左上端と前記画板１５の下端面とがヒンジで繋がれる。
【００３３】
また、前記ストック装置が前記メインテーブル１０の右端に設置されるストック箱５４を含む。
【００３４】
下記には、出願人は付図１−３と、上記の記載を参考して具体的に本出願の収納可能な画板を紹介する：
【００３５】
初期状態にある時、前記スプライン軸６２と前記カム伝動軸７１とが係合され、前記両面切換傘歯車７２と前記上主動傘歯車６３とが噛み合い、前記力蓄積ばね５９が圧縮状態にあり、前記収納箱２０が差出していない状態である。
【００３６】
画板を使用する時、正逆回転モーター２８の起動が前記動力軸２９を連動させて回転させ、前記動力軸２９が前記同調下プーリー３０と、前記同調上プーリー６４により前記主動軸６５を連動させて回転させ、前記主動軸６５が前記上主動傘歯車６３を連動させて回転させ、前記動力軸２９が前記下主動傘歯車３１を連動させて回転させ、前記上主動傘歯車６３が前記両面切換傘歯車７２を連動させて回転させ、前記両面切換傘歯車７２が前記スプライン軸６２により前記カム伝動軸７１を連動させて回転させ、前記カム伝動軸７１が前記軌跡縦カム６９を連動させて回転させ、前記軌跡係合ロッド６８を上昇させ、前記軌跡係合ロッド６８が上昇し、これにより前記封鎖板収納空間２１と前記封鎖板１４とが同じレベルの位置するようになり、前記永久磁石１７が前記封鎖板１４を右へ引きつけて前記封鎖板１４と前記封鎖板収納板１８とを密着させ、前記切換ロッド５７が前記力蓄積ばね５９の作用により右へ運動し、前記切換ロッド５７が前記下傾斜ブロック３２を連動させて右へ運動させ、前記上傾斜ブロック３３を下がらせ、前記上傾斜ブロック３３が前記切換軸６１を連動させて下がらせて前記両面切換傘歯車７２と前記上主動傘歯車６３とを噛み合う状態から離脱させ、前記スプライン軸６２と前記カム伝動軸７１とを係合される状態から離脱させ、前記両面切換傘歯車７２を前記下主動傘歯車３１と、前記方向切換傘歯車３８と噛み合わせ、前記下主動傘歯車３１が前記両面切換傘歯車７２により前記方向切換傘歯車３８を連動させて回転させ、前記方向切換傘歯車３８が前記サブ係合プーリ４２と、前記メイン係合プーリ４３により前記親ねじ４９を連動させて回転させ、前記親ねじ４９が前記画板伝動歯車７５と、前記中間歯車４１と、前記封鎖板収納伝動軸４０により前記リール伝動歯車２７を連動させて回転させ、前記リール伝動歯車２７が前記リール軸５３を連動させて回転させ、前記リール軸５３が糸を巻き始め、前記引き線８０により前記封鎖板１４を右へ引き動かして前記封鎖板収納空間２１の中に収納し、その同時前記封鎖板収納ばね２２を圧縮し、前記親ねじ４９が回転することにより前記ねじ山ガイドブロック４５を左へ運動させ、前記ねじ山ガイドブロック４５の左への運動が前記画板ヒンジレバー４６により前記画板１５を上昇させて、前記ねじ山ガイドブロック４５が右へ運動する過程中、前記係合凸起ブロック４８を右へ押圧して、前記収納箱２０を下がらせて元の位置に戻らせる。
【００３７】
元の位置に戻る時、前記正逆回転モーター２８の反転により前記画板装置を元の位置に戻らせ、前記係合凸起ブロック４８が前記押圧ばね２６の作用により元の位置に戻り、これにより前記収納箱２０を上昇させ、前記リール５２の反転により前記封鎖板収納板１８が前記封鎖板収納ばね２２の作用により前記封鎖板１４を押し出し、完全に押し出した後、
前記戻し電気磁石１２を起動させ、前記封鎖板１４を元の位置に戻らせ、前記封鎖板１４が元の位置に戻った後、前記切換装置を元の位置に戻らせ、前記両面切換傘歯車７２が前記上主動傘歯車６３と再び噛み合い、前記スプライン軸６２と前記カム伝動軸７１とが係合され、元の位置に戻る。
【００３８】
上記のように、本装置は構成が簡単で、使用しやすくて、画板を使用しない場合には装置の中に収納し、この時装置の上表面は欠けるところがないテーブルの表面であり、普通のテーブルとして使われることができ、装置を利用する効率を大いに高め、多くの空間を節約し、画板を使用しようとする時に、画板が自動的に伸び出し、人的な操作が必要でなく、使用完了の後にまた自動的に収納し、整理にかかる時間を大いに短縮し、仕事の効率を高める。
【００３９】
上記の記載はただ本発明における具体的な実施方式であり、但し本発明の保護範囲はこれに限定されるものではなく、創造的な労働を通じなく想到されるあらゆる変化と立ち代わりは本発明の保護範囲の中にカバーすべきであり、そのために、本発明の保護範囲は特許請求の範囲に限定された保護範囲に準じるべきである。